(57)【特許請求の範囲】
【請求項１】
ネットワークを介して電化機器の消費電力量を含むログ情報を収集及び管理する情報管理システムに接続され、ディスプレイを有する通信装置において実行されるプログラムであって、
前記通信装置は、前記通信装置のユーザのスケジュール情報を管理するメモリを有し、
前記通信装置のコンピュータに対して、
月単位又は週単位の各日を表したカレンダーデータを前記ディスプレイに表示させる指示を受け付けさせ、
前記ネットワークを介して前記情報管理システムから、前記ユーザと関連付けられた消費電力量を示す情報を受信し、
前記管理されたスケジュール情報及び前記受信した消費電力量を示す情報に基づき、当該月又は当該週の本日前の各日に対応する領域に、前記ユーザと関連付けられた消費電力量が所定の基準値を超えたことを示す第１表示又は前記ユーザと関連付けられた消費電力量が前記所定の基準値以下であることを示す第２表示を合成したカレンダーデータを生成して前記ディスプレイに表示させる、
プログラム。
【請求項２】
前記カレンダーデータに表された各日に対応する領域には前記通信装置において前記ユーザの予定が登録可能である、
請求項１記載のプログラム。
【請求項３】
当該月又は当該週の本日が翌日に移行した場合、前記翌日に移行する前の当該月又は当該週の本日に対応する領域に、前記当該月又は当該週の本日の消費電力量に応じて前記第１表示又は前記第２表示を表示させる、
請求項１から請求項２のいずれか一に記載のプログラム。
【請求項４】
前記第１表示は第１色を用いて表された表示であり、前記第２表示は前記第１色とは異なる第２色を用いて表された表示である、
請求項１から請求項３のいずれか一に記載のプログラム。
【請求項５】
当該月又は当該週の本日以降の各日の消費電力量が何日、前記所定の基準値以下であれば、当該月又は当該週の平均消費電力量が当該月又は当該週の平均消費電力量の目標値以下になるかを示す目安日数を算出し、前記目安日数が当該月又は当該週の残日数に比べて多いか少ないかを示す第１アドバイス情報を表示させる、
請求項１から請求項４のいずれか一に記載のプログラム。
【請求項６】
当該月又は当該週の本日以降の各日の消費電力量が何日、前記所定の基準値以下であれば、当該月又は当該週の合計消費電力量が当該月又は当該週の合計消費電力量の目標値以下になるかを示す目安日数を算出し、前記目安日数が当該月又は当該週の残日数に比べて多いか少ないかを示す第２アドバイス情報を表示させる、
請求項１から請求項４のいずれか一に記載のプログラム。
【請求項７】
当該月又は当該週の本日が翌日に移行した場合、前記移行前の本日の消費電力量を含めた前記第１アドバイス情報に更新させる、
請求項５記載のプログラム。
【請求項８】
当該月又は当該週の本日が翌日に移行した場合、前記移行前の本日の消費電力量を含めた前記第２アドバイス情報に更新させる、
請求項６記載のプログラム。
【請求項９】
前記受信した消費電力量を示す情報に基づき、前記カレンダーデータに表され当該月又は当該週の本日前のいずれかの日に対応する領域に、その日が最も消費電力量が少ない日であることを示す第１表示データを表示させる、
請求項１から請求項８のいずれか一に記載のプログラム。
【請求項１０】
前記受信した消費電力量を示す情報に基づき、前記カレンダーデータに表され当該月又は当該週の本日前のいずれかの日に対応する領域に、その日が最も消費電力量が多い日であることを示す第２表示データを表示させる、
請求項１から請求項９のいずれか一に記載のプログラム。
【請求項１１】
当該月又は当該週の本日前の各日に対応する領域に、各日において最も消費電力量が多い電化機器を表す機器表示を表示させる、
請求項１から請求項１０のいずれか一に記載のプログラム。
【請求項１２】
ネットワークを介して電化機器の消費電力量を含むログ情報を収集及び管理する情報管理システムに接続され、ディスプレイを有する通信装置の制御方法であって、
前記通信装置は、前記通信装置のユーザのスケジュール情報を管理するメモリを有し、
前記通信装置のコンピュータに対して、
月単位又は週単位の各日を表したカレンダーデータを前記ディスプレイに表示させる指示を受け付けさせ、
前記ネットワークを介して前記情報管理システムから、前記ユーザと関連付けられた消費電力量を示す情報を受信し、
前記管理されたスケジュール情報及び前記受信した消費電力量を示す情報に基づき、当該月又は当該週の本日前の各日に対応する領域に、前記ユーザと関連付けられた消費電力量が所定の基準値を超えたことを示す第１表示又は前記ユーザと関連付けられた消費電力量が前記所定の基準値以下であることを示す第２表示を合成したカレンダーデータを生成して前記ディスプレイに表示させる、
制御方法。
【請求項１３】
前記ユーザのスケジュール情報を管理するメモリを有し、請求項１から請求項１１のいずれか１項に記載のプログラムを搭載した通信装置。
【請求項１４】
ネットワークを介して電化機器の消費電力量を含むログ情報を収集及び管理する情報管理システムに接続され、ディスプレイを有する通信装置において実行されるプログラムであって、
前記通信装置のコンピュータに対して、
月単位又は週単位の各日を表したカレンダーデータを前記ディスプレイに表示させる指示を受け付けさせ、
前記指示に応じて、前記ネットワークを介して前記情報管理システムから、前記通信装置のユーザのスケジュール情報を受信し、
前記ネットワークを介して前記情報管理システムから、前記ユーザと関連付けられた消費電力量を示す情報を受信し、
前記受信したスケジュール情報及び前記受信した消費電力量を示す情報に基づき、当該月又は当該週の本日前の各日に対応する領域に、前記ユーザと関連付けられた消費電力量が所定の基準値を超えたことを示す第１表示又は前記ユーザと関連付けられた消費電力量が前記所定の基準値以下であることを示す第２表示を合成したカレンダーデータを生成して前記ディスプレイに表示させる、
プログラム。
【請求項１５】
前記カレンダーデータに表された各日に対応する領域には前記通信装置において前記ユーザの予定が登録可能である、
請求項１４記載のプログラム。
【請求項１６】
当該月又は当該週の本日が翌日に移行した場合、前記翌日に移行する前の当該月又は当該週の本日に対応する領域に、前記当該月又は当該週の本日の消費電力量に応じて前記第１表示又は前記第２表示を表示させる、
請求項１４から請求項１５のいずれか一に記載のプログラム。
【請求項１７】
前記第１表示は第１色を用いて表された表示であり、前記第２表示は前記第１色とは異なる第２色を用いて表された表示である、
請求項１４から請求項１６のいずれか一に記載のプログラム。
【請求項１８】
ネットワークを介して電化機器の消費電力量を含むログ情報を収集及び管理する情報管理システムに接続され、ディスプレイを有する通信装置の制御方法であって、
前記通信装置のコンピュータに対して、
月単位又は週単位の各日を表したカレンダーデータを前記ディスプレイに表示させる指示を受け付けさせ、
前記指示に応じて、前記ネットワークを介して前記情報管理システムから、前記通信装置のユーザのスケジュール情報を受信し、
前記ネットワークを介して前記情報管理システムから、前記ユーザと関連付けられた消費電力量を示す情報を受信し、
前記受信したスケジュール情報及び前記受信した消費電力量を示す情報に基づき、当該月又は当該週の本日前の各日に対応する領域に、前記ユーザと関連付けられた消費電力量が所定の基準値を超えたことを示す第１表示又は前記ユーザと関連付けられた消費電力量が前記所定の基準値以下であることを示す第２表示を合成したカレンダーデータを生成して前記ディスプレイに表示させる、
制御方法。
【請求項１９】
請求項１４から請求項１７のいずれか１項に記載のプログラムを搭載した通信装置。
【請求項２０】
ネットワークを介して電化機器の消費電力量を含むログ情報を収集及び管理する情報管理システムにおける情報提供方法であって、
前記ネットワークを介して前記電化機器と関連づけられたユーザの通信装置から、月単位又は週単位の各日に前記ユーザのスケジュール情報を表したカレンダーデータを前記通信装置のディスプレイに表示するための依頼を受信し、
前記依頼に応じて前記カレンダーデータを生成するために、前記ユーザのスケジュール情報を管理するメモリから前記ユーザのスケジュール情報を入力し、
前記ユーザと関連付けられた消費電力量を示す情報に基づいて、当該月又は当該週の本日前の各日に対応する領域に、前記ユーザと関連付けられた消費電力量が所定の基準値を超えたことを示す第１表示又は前記ユーザと関連付けられた消費電力量が前記所定の基準値以下であることを示す第２表示を合成したカレンダーデータを生成し、
前記ネットワークを介して前記通信装置に前記カレンダーデータを送信して前記通信装置のディスプレイに表示させる、
情報提供方法。
【請求項２１】
ネットワークを介して電化機器の消費電力量を含むログ情報を収集及び管理する情報管理システムに接続され、ディスプレイを有する通信装置の制御方法であって、
前記通信装置は、前記通信装置のユーザのスケジュール情報を管理するメモリを有し、
前記通信装置のコンピュータに対して、
月単位又は週単位の各日を表したカレンダーデータを前記ディスプレイに表示させる指示を受け付けさせ、
前記ネットワークを介して前記情報管理システムから、前記ユーザと関連付けられた消費電力量を示す情報を受信し、
前記管理されたスケジュール情報及び前記受信した消費電力量を示す情報に基づき、当該月又は当該週の本日前の各日に対応する領域に、前記ユーザと関連付けられた消費電力量を表す数字を合成して前記ディスプレイに表示させる、
制御方法。
【請求項２２】
ネットワークを介して電化機器の消費電力量を含むログ情報を収集及び管理する情報管理システムに接続され、ディスプレイを有する通信装置の制御方法であって、
前記通信装置のコンピュータに対して、
月単位又は週単位の各日を表したカレンダーデータを前記ディスプレイに表示させる指示を受け付けさせ、
前記指示に応じて、前記ネットワークを介して前記情報管理システムから、前記通信装置のユーザのスケジュール情報を受信し、
前記ネットワークを介して前記情報管理システムから、前記ユーザと関連付けられた消費電力量を示す情報を受信し、
前記受信したスケジュール情報及び前記受信した消費電力量を示す情報に基づき、当該月又は当該週の本日前の各日に対応する領域に、前記ユーザと関連付けられた消費電力量を表す数字を合成して前記ディスプレイに表示させる、
制御方法。
【請求項２３】
ネットワークを介して電化機器の消費電力量を含むログ情報を収集及び管理する情報管理システムにおける情報提供方法であって、
前記ネットワークを介して前記電化機器と関連づけられたユーザの通信装置から、月単位又は週単位の各日に前記ユーザのスケジュール情報を表したカレンダーデータを前記通信装置のディスプレイに表示するための依頼を受信し、
前記依頼に応じて前記カレンダーデータを生成するために、前記ユーザのスケジュール情報を管理するメモリから前記ユーザのスケジュール情報を入力し、
前記ユーザと関連付けられた消費電力量を示す情報に基づいて、当該月又は当該週の本日前の各日に対応する領域に、前記ユーザと関連付けられた消費電力量を表す数字を合成したカレンダーデータを生成し、
前記ネットワークを介して前記通信装置に前記カレンダーデータを送信して前記通信装置のディスプレイに表示させる、
情報提供方法。
【請求項２４】
ネットワークを介して電化機器の消費電力量を含むログ情報を収集及び管理する情報管理システムに接続され、ディスプレイを有する通信装置において実行されるプログラムであって、
前記通信装置は、前記通信装置のユーザのスケジュール情報を管理するメモリを有し、
前記通信装置のコンピュータに対して、
月単位又は週単位の各日を表したカレンダーデータを前記ディスプレイに表示させる指示を受け付けさせ、
前記ネットワークを介して前記情報管理システムから、前記ユーザと関連付けられた消費電力量を示す情報を受信し、
前記管理されたスケジュール情報及び前記受信した消費電力量を示す情報に基づき、当該月又は当該週の本日前の各日に対応する領域に、前記ユーザと関連付けられた消費電力量を表す数字を合成して前記ディスプレイに表示させる、
プログラム。
【請求項２５】
前記ユーザのスケジュール情報を管理するメモリを有し、請求項２４記載のプログラムを搭載した通信装置。
【請求項２６】
ネットワークを介して電化機器の消費電力量を含むログ情報を収集及び管理する情報管理システムに接続され、ディスプレイを有する通信装置において実行されるプログラムであって、
前記通信装置のコンピュータに対して、
月単位又は週単位の各日を表したカレンダーデータを前記ディスプレイに表示させる指示を受け付けさせ、
前記指示に応じて、前記ネットワークを介して前記情報管理システムから、前記通信装置のユーザのスケジュール情報を受信し、
前記ネットワークを介して前記情報管理システムから、前記ユーザと関連付けられた消費電力量を示す情報を受信し、
前記受信したスケジュール情報及び前記受信した消費電力量を示す情報に基づき、当該月又は当該週の本日前の各日に対応する領域に、前記ユーザと関連付けられた消費電力量を表す数字を合成して前記ディスプレイに表示させる、
プログラム。
【請求項２７】
請求項２６記載のプログラムを搭載した通信装置。 
【発明の詳細な説明】
【技術分野】
【０００１】
本開示は、例えば、ネットワークを介して電化機器のログ情報を収集及び管理する情報管理システムに用いられる情報提供方法に関する。
【背景技術】
【０００２】
特許文献１は、電力を計測する電力計測器を備えた分電盤を開示する。前記電力計測器は電力検出用センサを備えている。前記電力計測器は、前記電力検出用センサからの電圧値または電流値により瞬時電力を計測し、前記瞬時電力を積算して積算電力値を演算する。前記電力計測器はインターネットなどのネットワークを介して電力モニタ演算部と接続される。前記電力モニタ演算部は前記電力計測器からの積算電力値を基に、表示画面を作成し、外部端末に配信する。前記表示画面は、前記電力計測器からの瞬間電力が１時間持続したものと変換した場合の「使用電力量」及び「発電量」を数値表示及びグラフ表示する表示領域を含む。また、前記表示画面のグラフ表示は日単位又は月単位などで表示される。また、目標値をグラフ上に表示することもできる（例えば、段落［００５２］〜段落［００５６］及び図８〜図１２）。【０００３】
特許文献２は、監視対象月間の日付の曜日と一致するように比較対象月間の日付をシフトさせて対応する日付同士の消費電力量計測値を日毎に表示させる技術を開示する（例えば、段落［０００９］、段落［００４０］〜段落［００６８］及び図１０）。【０００４】
しかし、上記従来の技術では、更なる改善が必要であった。
【先行技術文献】
【特許文献】
【０００５】
【特許文献１】特開２００２−２９６３０７号公報
【特許文献２】再公表２０１１／１５５２５８号公報
【発明の概要】
【０００６】
上記課題を解決するために、本開示の一態様は、ネットワークを介して電化機器の消費電力量を含むログ情報を収集及び管理する情報管理システムに接続され、ディスプレイを有する通信装置の制御方法であって、前記通信装置は、前記通信装置のユーザのスケジュール情報を管理するメモリを有し、前記通信装置のコンピュータに対して、月単位又は週単位の各日を表したカレンダーデータを前記ディスプレイに表示させる指示を受け付けさせ、前記ネットワークを介して前記情報管理システムから、前記ユーザと関連付けられた消費電力量を示す情報を受信し、前記管理されたスケジュール情報及び前記受信した消費電力量を示す情報に基づき、当該月又は当該週の本日前の各日に対応する領域に、前記ユーザと関連付けられた消費電力量が所定の基準値を超えたことを示す第１表示又は前記ユーザと関連付けられた消費電力量が前記所定の基準値以下であることを示す第２表示を合成したカレンダーデータを生成して前記ディスプレイに表示させる。
【０００７】
本態様により、更なる改善が図れた。
【図面の簡単な説明】
【０００８】
【図１】本開示による管理システムの全体構成の第１例を示す図である。
【図２】本開示による管理システムの全体構成の第２例を示す図である。
【図３】本開示による管理システムの全体構成の第３例を示す図である。
【図４】本開示による管理システムの全体構成の第４例を示す図である。
【図５】第１例の管理システムの構成パターンを示すブロック図である。
【図６】第１例の管理システムの構成パターンを示すブロック図である。
【図７】第２例の管理システムの構成パターンを示すブロック図である。
【図８】第２例の管理システムの構成パターンを示すブロック図である。
【図９】第３例の管理システムの構成パターンを示すブロック図である。
【図１０】第３例の管理システムの構成パターンを示すブロック図である。
【図１１】第４例の管理システムの構成パターンを示すブロック図である。
【図１２】第４例の管理システムの構成パターンを示すブロック図である。
【図１３】第４例の管理システムの構成パターンを示すブロック図である。
【図１４】基本画面の一例を示す図である。
【図１５】使用量確認画面の第１例を示す図である。
【図１６】使用量確認画面の第２例を示す図である。
【図１７】第１例の使用量確認画面の別の表示例を示す図である。
【図１８】目安日数が当月の残日数より少ない場合の第１例の使用量確認画面を示す図である。
【図１９】使用量確認画面の第３例を示す図である。
【図２０】使用量確認画面の第４例を示す図である。
【図２１】使用量確認画面の第５例を示す図である。
【図２２】使用量確認画面の第６例を示す図である。
【図２３】基準値テーブルのデータ構成の一例を示す図である。
【図２４】エネルギー管理データのデータ構成の一例を示すデータである。
【図２５】エネルギー表示データのデータ構成の一例を示す図である。
【図２６】カレンダー予定リストのデータ構成の一例を示す図である。
【図２７】エネルギーデータの収集処理を示すシーケンス図である。
【図２８】管理システムの処理シーケンスを示すシーケンス図である。
【図２９】管理システムの処理シーケンスを示すシーケンス図である。
【図３０】管理システムの処理シーケンスを示すシーケンス図である。
【図３１】管理システムの処理シーケンスを示すシーケンス図である。
【図３２】管理システムの処理シーケンスを示すシーケンス図である。
【図３３】管理システムの処理シーケンスを示すシーケンス図である。
【図３４】管理システムの処理シーケンスを示すシーケンス図である。
【図３５】管理システムの処理シーケンスを示すシーケンス図である。
【図３６】管理システムの処理シーケンスを示すシーケンス図である。
【図３７】使用量確認画面の表示処理の第１例のフローチャートである。
【図３８】使用量確認画面の表示処理の第２例のフローチャートである。
【図３９】使用量確認画面の表示処理の第３例のフローチャートである。
【図４０】使用量確認画面の表示処理の第４例のフローチャートである。
【図４１】使用量確認画面の表示処理の第５例のフローチャートである。
【図４２】エネルギー表示データの生成処理（Ｓ３７０４、Ｓ３８１２）のフローチャートである。
【図４３】端末でのエネルギー使用量の表示処理（Ｓ３７０６）の第１例のフローチャートである。
【図４４】端末でのエネルギー使用量の表示処理（Ｓ３７０６）の第２例のフローチャートである。
【図４５】端末でのエネルギー使用量の表示処理（Ｓ３７０６）の第３例のフローチャートである。
【図４６】端末でのエネルギー使用量の表示処理（Ｓ３７０６）の第４例のフローチャートである。
【図４７】端末でのエネルギー使用量の表示処理（Ｓ３７０６）の第５例のフローチャートである。
【図４８】端末でのエネルギー使用量の表示処理（Ｓ３７０６）の第６例のフローチャートである。
【図４９】アドバイス描画処理（Ｓ４３０７）を示すフローチャートである。
【発明を実施するための形態】
【０００９】
（本開示に係る一態様を発明するに至った経緯）
上記の特許文献１は、前記表示画面に、時間単位、日単位又は月単位にて、前記電力計測器からの瞬間電力が１時間持続したものと変換した場合の「使用電力量」及び「発電量」を、目標値と共にグラフ表示するに過ぎない。
【００１０】
しかし、所定の時間単位にて、単に「使用電力量」及び「発電量」をグラフ表示しただけでは、なぜその日に「使用電力量」が目標値を超えたのか又は目標値以内に収まったのか判断できない。例えば、一日中家の中で過ごしたので、その日の消費電力量が前記目標値を超えたという判断はできない。同様に、例えば、その日は旅行で外出していたので、その日の消費電力量が前記目標値以下であったという判断はできない。
【００１１】
そのため、特許文献１では、単に、その日に「使用電力量」が目標値を超えたのか又は目標値以内に収まったかを示すに止まり、その日に「使用電力量」が目標値を超えた理由又は目標値以内に収まった理由などの判断材料を提示しないので、省エネ促進効果が低減する。
【００１２】
上記の特許文献２は、前月又は前年の消費電力量と比較した今月の消費電力量を表示するに過ぎない。
【００１３】
そのため、特許文献２においても、なぜその日に使用電力量が前月又は前年と比較して多かったのか又は少なかったのか判断できない。例えば、今月のその日は、一日中家の中で過ごしたので、その日の消費電力量が比較的多かったという判断はできない。同様に、例えば、今月のその日は、旅行で外出していたので、その日の消費電力量が比較的少なかったという判断はできない。
【００１４】
そのため、特許文献２も、単に、その日に使用電力量が比較的多かった又は比較的少なかったかを示すに止まり、その日に使用電力量が比較的多かった理由又は比較的少なかった理由などの判断材料を提示しないので、省エネ促進効果が低減する。
【００１５】
以上の検討を踏まえ、本発明者は、本開示にかかる各態様の発明を想到するに至った。
【００１６】
（１）本開示の第１の態様は、
ネットワークを介して電化機器の消費電力量を含むログ情報を収集及び管理する情報管理システムに接続され、ディスプレイを有する通信装置の制御方法であって、
前記通信装置は、前記通信装置のユーザのスケジュール情報を管理するメモリを有し、
前記通信装置のコンピュータに対して、
月単位又は週単位の各日を表したカレンダーデータを前記ディスプレイに表示させる指示を受け付けさせ、
前記ネットワークを介して前記情報管理システムから、前記ユーザと関連付けられた消費電力量を示す情報を受信し、
前記管理されたスケジュール情報及び前記受信した消費電力量を示す情報に基づき、当該月又は当該週の本日前の各日に対応する領域に、前記ユーザと関連付けられた消費電力量が所定の基準値を超えたことを示す第１表示又は前記ユーザと関連付けられた消費電力量が前記所定の基準値以下であることを示す第２表示を合成したカレンダーデータを生成して前記ディスプレイに表示させる。
【００１７】
本態様は、前記ユーザの通信装置のディスプレイに表示されるカレンダーデータを提供する。前記カレンダーデータは、当該又は当該週月の本日前の各日に対応する領域に、前記ユーザと関連付けられた消費電力量が所定の基準値を超えたことを示す第１表示又は前記ユーザと関連付けられた消費電力量が前記所定の基準値以下であることを示す第２表示を合成して表示する。即ち、前記カレンダーデータは、前記ユーザの予定を表示する画面であると共に、消費電力量を表す画面を兼用する。
【００１８】
これにより、例えば、ある日の消費電力量が前記所定の基準値を超えている場合、前記カレンダーデータを用いて前記ある日の予定を確認できる。そのため、ユーザは、なぜ前記ある日の消費電力量が前記所定の基準値を超えたのかを、前記ある日の予定を参酌して判断できる。例えば、一日中家の中で過ごしたので、前記ある日の消費電力量が前記所定の基準値を超えたと即座に判断できる。
【００１９】
同様に、例えば、他の日の消費電力量が前記所定の基準値以下であった場合、前記カレンダーデータを用いて前記他の日の予定を確認できる。そのため、ユーザは、なぜ前記他の日の消費電力量が前記所定の基準値以下であったのかを、前記他の日の予定を参酌して判断できる。例えば、前記他の日は旅行で外出していたので、前記他の日の消費電力量が前記所定の基準値以下であったと即座に判断できる。
【００２０】
このように、既存のカレンダーデータを利用して、前記カレンダーデータは、前記ユーザの予定を表示すると共に、消費電力量を表示するので、各日の消費電力量の多少の理由を即座に判断できる。例えば、週単位又は月単位などで消費電力量を管理する場合に、本態様は適切な管理を効果的に支援できる。
【００２１】
従って、本態様によると、例えば、前記ある日の消費電力量が前記所定の基準値を超えた場合、又は、例えば、他の日の消費電力量が前記所定の基準値以下であった場合、その理由を示すためだけに用いられるパラメータを別個に生成して表示させるものではなく、既存のカレンダーデータを利用する。そのため、ユーザが確認すべき表示数を増加させることなく、ユーザが使い慣れたカレンデーデータというユーザインターフェースを兼用して操作性の向上を図ることができる。
【００２２】
また、ユーザは、前記カレンダーデータを用いて、前記ユーザの予定を確認する際には、前記ユーザと関連付けられた消費電力量を各日単位にて確認することになる。
【００２３】
そのため、本日前の段階において、消費電力量が前記所定の基準値を超えた日と、消費電力量が前記所定の基準値以下である日との割合を、ユーザは、前記カレンダーデータを見る際にはその都度認識することになる。例えば、消費電力量が前記所定の基準値を超えた日の割合が、消費電力量が前記所定の基準値以下である日より多い場合には、本日以降、消費電力量を抑えた行動が必要になると、前記ユーザに認識させることができる。
【００２４】
その結果、本日以降の消費電力量を意識させることで、前記ユーザを効果的に省エネ行動に向けさせるので、当該月全体として、各日の消費電力量の平均値を前記基準値以下にすることを促進させることができる。
【００２５】
また、消費電力量をそのまま数字で前記カレンダーデータに表すのではなく、前記ユーザと関連付けられた消費電力量が所定の基準値を超えたことを示す第１表示又は前記ユーザと関連付けられた消費電力量が前記所定の基準値以下であることを示す第２表示を用いて表示する。そのため、上記のように、消費電力量が前記所定の基準値を超えた日と、消費電力量が前記所定の基準値以下である日との割合として、消費電力量を簡易なデータ形式にて前記ユーザに認識させることができる。その結果、前記ユーザが前記カレンダーデータを確認する際に、前記ユーザの注意を簡易に消費電力量に向けさせることができる。
【００２６】
尚、前記情報管理システムから受信する消費電力量を示す情報は、日単位に集計済みの情報であってもよく、また、一日の中での所定時間単位の情報であってもよい。前記情報管理システムから受信する消費電力量を示す情報が、一日の中での所定時間単位の情報である場合、前記通信装置が日単位の情報に集計することになる。
【００２７】
尚、前記消費電力量を示す情報は、前記情報管理システムにおいて、電化機器に電力を供給する分電盤に接続された計測ユニットから受信してもよい。
【００２８】
（２）上記第１の態様において、例えば、
当該月又は当該週の本日が翌日に移行した場合、前記翌日に移行する前の当該月又は当該週の本日に対応する領域に、前記当該月又は当該週の本日の消費電力量に応じて前記第１表示又は前記第２表示を表示させてもよい。
【００２９】
（３）上記第１の態様において、例えば、
当該月又は当該週の本日が翌日に移行した場合、前記翌日に移行する前の当該月又は当該週の本日に対応する領域に、前記当該月又は当該週の本日の消費電力量に応じて前記第１表示又は前記第２表示を表示させるようにしてもよい。
【００３０】
本態様によると、当該月又は当該週の本日が翌日に移行する毎に、前記翌日に移行する前の当該月又は当該週の本日に対応する領域に、前記第１表示又は前記第２表示がなされる。即ち、一日毎にデータカレンダーデータの表示は更新される。そのため、前記カレンダーデータを用いて、日々、前日までの消費電力量の最新状況を確認でき、また、前記当該月又は当該週の消費電力量の推移を前記当該月の全体として把握できる。
【００３１】
（４）上記第１の態様において、例えば、
前記第１表示は第１色を用いて表された表示であり、前記第２表示は前記第１色とは異なる第２色を用いて表された表示であってもよい。
【００３２】
本態様によると、日々の消費電力量を前記第１色又は前記第２色を用いて表すことになる。そのため、一日の消費電力量を、例えば、２５０ｋＷｈと表示した場合、一般ユーザは、その数字が例えば一般家庭と比較して多いのか若しくは少ないのか判断することは必ずしも容易ではない。これに対して本態様では、日々の消費電力量を前記第１色又は前記第２色を用いて表すことにより、日々の消費電力量が多いのか若しくは少ないのか容易に前記ユーザに認識させることができる。その結果、その日の消費電力量が多いと前記ユーザにおいて認識されれば、翌日の消費電力量を抑える省エネ行動に容易に、前記ユーザを駆り立てることができる。
【００３３】
（５）上記第１の態様において、例えば、
当該月又は当該週の本日以降の各日の消費電力量が何日、前記所定の基準値以下であれば、当該月又は当該週の平均消費電力量が当該月又は当該週の平均消費電力量の目標値以下になるかを示す目安日数を算出し、前記目安日数が当該月又は当該週の残日数に比べて多いか少ないかを示す第１アドバイス情報を表示させるようにしてもよい。
【００３４】
当該月又は当該週の残日数が少なくなるほど、各日の消費電力量が前記所定の基準値を超える日が多くなると、前記当該月の平均消費電力量は前記当該月又は当該週の目標値以下にはならない。そこで、本態様では、一定の目安として、当該月又は当該週の本日以降の各日の消費電力量が何日、前記所定の基準値以下であれば当該月又は当該週の平均消費電力量が前記所定の基準値以下になるかを示す目安日数を算出する。そして、この目安日数が当該月又は当該週の残日数に比べて多いか少ないかを示す第１アドバイス情報を表示させる。これにより、目安日数が残日数より多ければ、当該月又は当該週はまだ電力消費量に余裕があるといった判断材料をユーザに提示でき、目安日数が残日数よりも少なければ、今月は電力消費量を抑制する必要があるといった判断材料をユーザに提示できる。
【００３５】
（６）上記第１の態様において、例えば、
当該月又は当該週の本日以降の各日の消費電力量が何日、前記所定の基準値以下であれば、当該月又は当該週の合計消費電力量が当該月又は当該週の合計消費電力量の目標値以下になるかを示す目安日数を算出し、前記目安日数が当該月又は当該週の残日数に比べて多いか少ないかを示す第２アドバイス情報を表示させるようにしてもよい。
【００３６】
本態様では、当該月又は当該週の残日数が少なくなるほど、各日の消費電力量が前記所定の基準値を超える日が多くなると、前記当該月又は当該週の合計消費電力量は前記当該月又は当該週の目標値以下にはならない。そこで、本態様では、一定の目安として、当該月又は当該週の本日以降の各日の消費電力量が何日、前記所定の基準値以下であれば当該月又は当該週の合計消費電力量が前記当該月又は当該週の目標値以下になるかを示す目安日数を算出する。そして、この目安日数が当該月又は当該週の残日数に比べて多いか少ないかを示す第２アドバイス情報を表示させる。これにより、目安日数が残日数より多ければ、当該月又は当該週はまだ電力消費量に余裕があるといった判断材料をユーザに提示でき、目安日数が残日数よりも少なければ、今月は電力消費量を抑制する必要があるといった判断材料をユーザに提示できる。
【００３７】
（７）上記第１の態様において、例えば、
当該月又は当該週の本日が翌日に移行した場合、前記移行前の本日の消費電力量を含めた前記第１アドバイス情報に更新させるようにしてもよい。
【００３８】
（８）上記第１の態様において、例えば、
当該月又は当該週の本日が翌日に移行した場合、前記移行前の本日の消費電力量を含めた前記第２アドバイス情報を更新させるようにしてもよい。
【００３９】
（９）上記第１の態様において、例えば、
前記受信した消費電力量を示す情報に基づき、前記カレンダーデータに表され当該月又は当該週の本日前のいずれかの日に対応する領域に、その日が最も消費電力量が少ない日であることを示す第１表示データを表示させるようしてもよい。
【００４０】
（１０）上記第１の態様において、例えば、
前記受信した消費電力量を示す情報に基づき、前記カレンダーデータに表され当該月又は当該週の本日前のいずれかの日に対応する領域に、その日が最も消費電力量が多い日であることを示す第２表示データを表示させるようにしてもよい。
【００４１】
（１１）上記第１の態様において、例えば、
当該月又は当該週の本日前の各日に対応する領域に、各日において最も消費電力量が多い電化機器を表す機器表示を表示させるようにしてもよい。
【００４２】
本態様によると、各日においてどの電化機器の消費電力量が最も多いかを確認できる。
【００４３】
（１２）上記第１の態様のプログラムは、例えば、
ネットワークを介して電化機器のログ情報を収集・管理する情報管理システムに接続され、ディスプレイを有する通信装置において実行させるプログラムであって、
前記通信装置は、前記通信装置のユーザのスケジュール情報を管理するメモリを有し、
前記通信装置のコンピュータに対して、
月単位又は週単位の各日を表したカレンダーデータを前記ディスプレイに表示させる指示を受け付けさせ、
前記ネットワークを介して前記情報管理システムから、前記ユーザと関連付けられた消費電力量を示す情報を受信し、
前記管理されたスケジュール情報及び前記受信した消費電力量を示す情報に基づき、当該月又は当該週の本日前の各日に対応する領域に、前記ユーザと関連付けられた消費電力量が所定の基準値を超えたことを示す第１表示又は前記ユーザと関連付けられた消費電力量が前記所定の基準値以下であることを示す第２表示を合成したカレンダーデータを生成して前記ディスプレイに表示させる。
【００４４】
（１３）また、上記第１態様の通信装置は、例えば、
前記ユーザのスケジュール情報を管理するメモリを有し、上記のプログラムを搭載する。
【００４５】
（１４）本開示の第２の態様は、
ネットワークを介して電化機器の消費電力量を含むログ情報を収集及び管理する情報管理システムに接続され、ディスプレイを有する通信装置の制御方法であって、
前記通信装置のコンピュータに対して、
月単位又は週単位の各日を表したカレンダーデータを前記ディスプレイに表示させる指示を受け付けさせ、
前記指示に応じて、前記ネットワークを介して前記情報管理システムから、前記通信装置のユーザのスケジュール情報を受信し、
前記ネットワークを介して前記情報管理システムから、前記ユーザと関連付けられた消費電力量を示す情報を受信し、
前記受信したスケジュール情報及び前記受信した消費電力量を示す情報に基づき、当該月又は当該週の本日前の各日に対応する領域に、前記ユーザと関連付けられた消費電力量が所定の基準値を超えたことを示す第１表示又は前記ユーザと関連付けられた消費電力量が前記所定の基準値以下であることを示す第２表示を合成したカレンダーデータを生成して前記ディスプレイに表示させる。
【００４６】
本態様は、前記ユーザの通信装置のディスプレイに表示されるカレンダーデータを提供する。前記カレンダーデータは、当該又は当該週月の本日前の各日に対応する領域に、前記ユーザと関連付けられた消費電力量が所定の基準値を超えたことを示す第１表示又は前記ユーザと関連付けられた消費電力量が前記所定の基準値以下であることを示す第２表示を合成して表示する。即ち、前記カレンダーデータは、前記ユーザの予定を表示する画面であると共に、消費電力量を表す画面を兼用する。
【００４７】
これにより、例えば、ある日の消費電力量が前記所定の基準値を超えている場合、前記カレンダーデータを用いて前記ある日の予定を確認できる。そのため、ユーザは、なぜ前記ある日の消費電力量が前記所定の基準値を超えたのかを、前記ある日の予定を参酌して判断できる。例えば、一日中家の中で過ごしたので、前記ある日の消費電力量が前記所定の基準値を超えたと即座に判断できる。
【００４８】
同様に、例えば、他の日の消費電力量が前記所定の基準値以下であった場合、前記カレンダーデータを用いて前記他の日の予定を確認できる。そのため、ユーザは、なぜ前記他の日の消費電力量が前記所定の基準値以下であったのかを、前記他の日の予定を参酌して判断できる。例えば、前記他の日は旅行で外出していたので、前記他の日の消費電力量が前記所定の基準値以下であったと即座に判断できる。
【００４９】
このように、既存のカレンダーデータを利用して、前記カレンダーデータは、前記ユーザの予定を表示すると共に、消費電力量を表示するので、各日の消費電力量の多少の理由を即座に判断できる。例えば、週単位又は月単位などで消費電力量を管理する場合に、本態様は適切な管理を効果的に支援できる。
【００５０】
従って、本態様によると、例えば、前記ある日の消費電力量が前記所定の基準値を超えた場合、又は、例えば、他の日の消費電力量が前記所定の基準値以下であった場合、その理由を示すためだけに用いられるパラメータを別個に生成して表示させるものではなく、既存のカレンダーデータを利用する。そのため、ユーザが確認すべき表示数を増加させることなく、ユーザが使い慣れたカレンデーデータというユーザインターフェースを兼用して操作性の向上を図ることができる。
【００５１】
また、ユーザは、前記カレンダーデータを用いて、前記ユーザの予定を確認する際には、前記ユーザと関連付けられた消費電力量を各日単位にて確認することになる。
【００５２】
そのため、本日前の段階において、消費電力量が前記所定の基準値を超えた日と、消費電力量が前記所定の基準値以下である日との割合を、ユーザは、前記カレンダーデータを見る際にはその都度認識することになる。例えば、消費電力量が前記所定の基準値を超えた日の割合が、消費電力量が前記所定の基準値以下である日より多い場合には、本日以降、消費電力量を抑えた行動が必要になると、前記ユーザに認識させることができる。
【００５３】
その結果、本日以降の消費電力量を意識させることで、前記ユーザを効果的に省エネ行動に向けさせるので、当該月全体として、各日の消費電力量の平均値を前記基準値以下にすることを促進させることができる。
【００５４】
また、消費電力量をそのまま数字で前記カレンダーデータに表すのではなく、前記ユーザと関連付けられた消費電力量が所定の基準値を超えたことを示す第１表示又は前記ユーザと関連付けられた消費電力量が前記所定の基準値以下であることを示す第２表示を用いて表示する。そのため、上記のように、消費電力量が前記所定の基準値を超えた日と、消費電力量が前記所定の基準値以下である日との割合として、消費電力量を簡易なデータ形式にて前記ユーザに認識させることができる。その結果、前記ユーザが前記カレンダーデータを確認する際に、前記ユーザの注意を簡易に消費電力量に向けさせることができる。
【００５５】
尚、前記情報管理システムから受信する消費電力量を示す情報は、日単位に集計済みの情報であってもよく、また、一日の中での所定時間単位の情報であってもよい。前記情報管理システムから受信する消費電力量を示す情報が、一日の中での所定時間単位の情報である場合、前記通信装置が日単位の情報に集計することになる。
【００５６】
尚、前記消費電力量を示す情報は、前記情報管理システムにおいて、電化機器に電力を供給する分電盤に接続された計測ユニットから受信してもよい。
【００５７】
（１５）上記第２の態様において、例えば、
前記カレンダーデータに表された各日に対応する領域には前記通信装置において前記ユーザの予定が登録可能であってもよい。
【００５８】
（１６）上記第２の態様において、例えば、
当該月又は当該週の本日が翌日に移行した場合、前記翌日に移行する前の当該月又は当該週の本日に対応する領域に、前記当該月又は当該週の本日の消費電力量に応じて前記第１表示又は前記第２表示を表示させるようにしてもよい。
【００５９】
本態様によると、当該月又は当該週の本日が翌日に移行する毎に、前記翌日に移行する前の当該月又は当該週の本日に対応する領域に、前記第１表示又は前記第２表示がなされる。即ち、一日毎にデータカレンダーデータの表示は更新される。そのため、前記カレンダーデータを用いて、日々、前日までの消費電力量の最新状況を確認でき、また、前記当該月又は当該週の消費電力量の推移を前記当該月の全体として把握できる。
【００６０】
（１７）上記第２の態様において、例えば、
前記第１表示は第１色を用いて表された表示であり、前記第２表示は前記第１色とは異なる第２色を用いて表された表示であってもよい。
【００６１】
本態様によると、日々の消費電力量を前記第１色又は前記第２色を用いて表すことになる。そのため、一日の消費電力量を、例えば、２５０ｋＷｈと表示した場合、一般ユーザは、その数字が例えば一般家庭と比較して多いのか若しくは少ないのか判断することは必ずしも容易ではない。これに対して本態様では、日々の消費電力量を前記第１色又は前記第２色を用いて表すことにより、日々の消費電力量が多いのか若しくは少ないのか容易に前記ユーザに認識させることができる。その結果、その日の消費電力量が多いと前記ユーザにおいて認識されれば、翌日の消費電力量を抑える省エネ行動に容易に、前記ユーザを駆り立てることができる。
【００６２】
（１８）上記第２の態様において、例えば、
当該月又は当該週の本日以降の各日の消費電力量が何日、前記所定の基準値以下であれば、当該月又は当該週の平均消費電力量が当該月又は当該週の平均消費電力量の目標値以下になるかを示す目安日数を算出し、前記目安日数が当該月又は当該週の残日数に比べて多いか少ないかを示す第１アドバイス情報を表示させるようにしてもよい。
【００６３】
当該月又は当該週の残日数が少なくなるほど、各日の消費電力量が前記所定の基準値を超える日が多くなると、前記当該月の平均消費電力量は前記当該月又は当該週の目標値以下にはならない。そこで、本態様では、一定の目安として、当該月又は当該週の本日以降の各日の消費電力量が何日、前記所定の基準値以下であれば当該月又は当該週の平均消費電力量が前記所定の基準値以下になるかを示す目安日数を算出する。。そして、この目安日数が当該月又は当該週の残日数に比べて多いか少ないかを示す第１アドバイス情報を表示させる。これにより、目安日数が残日数より多ければ、当該月又は当該週はまだ電力消費量に余裕があるといった判断材料をユーザに提示でき、目安日数が残日数よりも少なければ、今月は電力消費量を抑制する必要があるといった判断材料をユーザに提示できる。
【００６４】
（１９）上記第２の態様において、例えば、
当該月又は当該週の本日以降の各日の消費電力量が何日、前記所定の基準値以下であれば、当該月又は当該週の合計消費電力量が当該月又は当該週の合計消費電力量の目標値以下になるかを示す目安日数を算出し、前記目安日数が当該月又は当該週の残日数に比べて多いか少ないかを示す第２アドバイス情報を表示させるようにしてもよい。
【００６５】
本態様では、当該月又は当該週の残日数が少なくなるほど、各日の消費電力量が前記所定の基準値を超える日が多くなると、前記当該月又は当該週の合計消費電力量は前記当該月又は当該週の目標値以下にはならない。そこで、本態様では、一定の目安として、当該月又は当該週の本日以降の各日の消費電力量が何日、前記所定の基準値以下であれば当該月又は当該週の合計消費電力量が前記当該月又は当該週の目標値以下になるかを示す示す目安日数を算出する。そして、この目安日数が当該月又は当該週の残日数に比べて多いか少ないかを示す第２アドバイス情報を表示させる。これにより、目安日数が残日数より多ければ、当該月又は当該週はまだ電力消費量に余裕があるといった判断材料をユーザに提示でき、目安日数が残日数よりも少なければ、今月は電力消費量を抑制する必要があるといった判断材料をユーザに提示できる。
【００６６】
（２０）上記第２の態様において、例えば、
当該月又は当該週の本日が翌日に移行した場合、前記移行前の本日の消費電力量を含めた前記第１アドバイス情報に更新させるようにしてもよい。
【００６７】
（２１）上記第２の態様において、例えば、
当該月又は当該週の本日が翌日に移行した場合、前記移行前の本日の消費電力量を含めた前記第２アドバイス情報を更新させるようにしてもよい。
【００６８】
（２２）上記第２の態様において、例えば、
前記受信した消費電力量を示す情報に基づき、前記カレンダーデータに表され当該月又は当該週の本日前のいずれかの日に対応する領域に、その日が最も消費電力量が少ない日であることを示す第１表示データを表示させるようにしてもよい。
【００６９】
（２３）上記第２の態様において、例えば、
前記受信した消費電力量を示す情報に基づき、前記カレンダーデータに表され当該月又は当該週の本日前のいずれかの日に対応する領域に、その日が最も消費電力量が多い日であることを示す第２表示データを表示させるようにしてもよい。
【００７０】
（２４）上記第２の態様において、例えば、
当該月又は当該週の本日前の各日に対応する領域に、各日において最も消費電力量が多い電化機器を表す機器表示を表示させるようにしてもよい。
【００７１】
本態様によると、各日においてどの電化機器の消費電力量が最も多いかを確認できる。
【００７２】
（２５）上記第２の態様のプログラムは、例えば、ネットワークを介して電化機器のログ情報を収集及び管理する情報管理システムに接続され、ディスプレイを有する通信装置において実行させるプログラムであって、
前記通信装置のコンピュータに対して、
月単位又は週単位の各日を表したカレンダーデータを前記ディスプレイに表示させる指示を受け付けさせ、
前記指示に応じて、前記ネットワークを介して前記情報管理システムから、前記通信装置のユーザのスケジュール情報を受信し、
前記ネットワークを介して前記情報管理システムから、前記ユーザと関連付けられた消費電力量を示す情報を受信し、
前記受信したスケジュール情報及び前記受信した消費電力量を示す情報に基づき、当該月又は当該週の本日前の各日に対応する領域に、前記ユーザと関連付けられた消費電力量が所定の基準値を超えたことを示す第１表示又は前記ユーザと関連付けられた消費電力量が前記所定の基準値以下であることを示す第２表示を合成したカレンダーデータを生成して前記ディスプレイに表示させる。
【００７３】
（２６）また、第２の態様の通信装置は、例えば、上記のプログラムを搭載する。
【００７４】
（２７）本開示の第３の態様は、
ネットワークを介して電化機器の消費電力量を含むログ情報を収集及び管理する情報管理システムにおける情報提供方法であって、
前記ネットワークを介して前記電化機器と関連づけられたユーザの通信装置から、月単位又は週単位の各日に前記ユーザのスケジュール情報を表したカレンダーデータを前記ディスプレイに表示するための依頼を受信し、
前記依頼に応じて前記カレンダーデータを生成するために、前記ユーザのスケジュール情報を管理するメモリから前記ユーザのスケジュール情報を入力し、
前記ユーザと関連付けられた消費電力量を示す情報に基づいて、当該月又は当該週の本日前の各日に対応する領域に、前記ユーザと関連付けられた消費電力量が所定の基準値を超えたことを示す第１表示又は前記ユーザと関連付けられた消費電力量が前記所定の基準値以下であることを示す第２表示を合成したカレンダーデータを生成し、
前記ネットワークを介して前記通信装置に前記カレンダーデータを送信して前記通信装置のディスプレイに表示させる。
【００７５】
本態様は、前記ユーザの通信装置のディスプレイに表示されるカレンダーデータを提供する。前記カレンダーデータは、当該又は当該週月の本日前の各日に対応する領域に、前記ユーザと関連付けられた消費電力量が所定の基準値を超えたことを示す第１表示又は前記ユーザと関連付けられた消費電力量が前記所定の基準値以下であることを示す第２表示を合成して表示する。即ち、前記カレンダーデータは、前記ユーザの予定を表示する画面であると共に、消費電力量を表す画面を兼用する。
【００７６】
これにより、例えば、ある日の消費電力量が前記所定の基準値を超えている場合、前記カレンダーデータを用いて前記ある日の予定を確認できる。そのため、ユーザは、なぜ前記ある日の消費電力量が前記所定の基準値を超えたのかを、前記ある日の予定を参酌して判断できる。例えば、一日中家の中で過ごしたので、前記ある日の消費電力量が前記所定の基準値を超えたと即座に判断できる。
【００７７】
同様に、例えば、他の日の消費電力量が前記所定の基準値以下であった場合、前記カレンダーデータを用いて前記他の日の予定を確認できる。そのため、ユーザは、なぜ前記他の日の消費電力量が前記所定の基準値以下であったのかを、前記他の日の予定を参酌して判断できる。例えば、前記他の日は旅行で外出していたので、前記他の日の消費電力量が前記所定の基準値以下であったと即座に判断できる。
【００７８】
このように、既存のカレンダーデータを利用して、前記カレンダーデータは、前記ユーザの予定を表示すると共に、消費電力量を表示するので、各日の消費電力量の多少の理由を即座に判断できる。例えば、週単位又は月単位などで消費電力量を管理する場合に、本態様は適切な管理を効果的に支援できる。
【００７９】
従って、本態様によると、例えば、前記ある日の消費電力量が前記所定の基準値を超えた場合、又は、例えば、他の日の消費電力量が前記所定の基準値以下であった場合、その理由を示すためだけに用いられるパラメータを別個に生成して表示させるものではなく、既存のカレンダーデータを利用する。そのため、ユーザが確認すべき表示数を増加させることなく、ユーザが使い慣れたカレンデーデータというユーザインターフェースを兼用して操作性の向上を図ることができる。
【００８０】
また、ユーザは、前記カレンダーデータを用いて、前記ユーザの予定を確認する際には、前記ユーザと関連付けられた消費電力量を各日単位にて確認することになる。
【００８１】
そのため、本日前の段階において、消費電力量が前記所定の基準値を超えた日と、消費電力量が前記所定の基準値以下である日との割合を、ユーザは、前記カレンダーデータを見る際にはその都度認識することになる。例えば、消費電力量が前記所定の基準値を超えた日の割合が、消費電力量が前記所定の基準値以下である日より多い場合には、本日以降、消費電力量を抑えた行動が必要になると、前記ユーザに認識させることができる。
【００８２】
その結果、本日以降の消費電力量を意識させることで、前記ユーザを効果的に省エネ行動に向けさせるので、当該月全体として、各日の消費電力量の平均値を前記基準値以下にすることを促進させることができる。
【００８３】
また、消費電力量をそのまま数字で前記カレンダーデータに表すのではなく、前記ユーザと関連付けられた消費電力量が所定の基準値を超えたことを示す第１表示又は前記ユーザと関連付けられた消費電力量が前記所定の基準値以下であることを示す第２表示を用いて表示する。そのため、上記のように、消費電力量が前記所定の基準値を超えた日と、消費電力量が前記所定の基準値以下である日との割合として、消費電力量を簡易なデータ形式にて前記ユーザに認識させることができる。その結果、前記ユーザが前記カレンダーデータを確認する際に、前記ユーザの注意を簡易に消費電力量に向けさせることができる。尚、前記ユーザのスケジュール情報を管理するメモリは、前記情報管理システムにおける異なるサーバ装置にあってもよい。
【００８４】
（２８）上記第３の態様において、例えば、
前記カレンダーデータに表された各日に対応する領域には前記通信装置において前記ユーザの予定が登録可能であってもよい。
【００８５】
（２９）上記第３の態様において、例えば、
当該月又は当該週の本日が翌日に移行した場合、前記翌日に移行する前の当該月又は当該週の本日に対応する領域に、前記当該月又は当該週の本日の消費電力量に応じて前記第１表示又は前記第２表示を表示させてもよい。
【００８６】
本態様によると、当該月又は当該週の本日が翌日に移行する毎に、前記翌日に移行する前の当該月又は当該週の本日に対応する領域に、前記第１表示又は前記第２表示がなされる。即ち、一日毎にデータカレンダーデータの表示は更新される。そのため、前記カレンダーデータを用いて、日々、前日までの消費電力量の最新状況を確認でき、また、前記当該月又は当該週の消費電力量の推移を前記当該月の全体として把握できる。
【００８７】
（３０）上記第３の態様において、例えば、
前記第１表示は第１色を用いて表された表示であり、前記第２表示は前記第１色とは異なる第２色を用いて表された表示であってもよい。
【００８８】
本態様によると、日々の消費電力量を前記第１色又は前記第２色を用いて表すことになる。そのため、一日の消費電力量を、例えば、２５０ｋＷｈと表示した場合、一般ユーザは、その数字が例えば一般家庭と比較して多いのか若しくは少ないのか判断することは必ずしも容易ではない。これに対して本態様では、日々の消費電力量を前記第１色又は前記第２色を用いて表すことにより、日々の消費電力量が多いのか若しくは少ないのか容易に前記ユーザに認識させることができる。その結果、その日の消費電力量が多いと前記ユーザにおいて認識されれば、翌日の消費電力量を抑える省エネ行動に容易に、前記ユーザを駆り立てることができる。
【００８９】
（３１）上記第３の態様において、例えば、
当該月又は当該週の本日以降の各日の消費電力量が何日、前記所定の基準値以下であれば、当該月又は当該週の平均消費電力量が当該月又は当該週の平均消費電力量の目標値以下になるかを示す目安日数を算出し、前記目安日数が当該月又は当該週の残日数に比べて多いか少ないかを示す第１アドバイス情報を前記表示データに表示させるようにしてもよい。
【００９０】
当該月又は当該週の残日数が少なくなるほど、各日の消費電力量が前記所定の基準値を超える日が多くなると、前記当該月の平均消費電力量は前記当該月又は当該週の目標値以下にはならない。そこで、本態様では、一定の目安として、当該月又は当該週の本日以降の各日の消費電力量が何日、前記所定の基準値以下であれば当該月又は当該週の平均消費電力量が前記所定の基準値以下になるかを示す目安日数を算出する。そして、この目安日数が当該月又は当該週の残日数に比べて多いか少ないかを示す第１アドバイス情報を表示させる。これにより、目安日数が残日数より多ければ、当該月又は当該週はまだ電力消費量に余裕があるといった判断材料をユーザに提示でき、目安日数が残日数よりも少なければ、今月は電力消費量を抑制する必要があるといった判断材料をユーザに提示できる。
【００９１】
（３２）上記第３の態様において、例えば、
当該月又は当該週の本日以降の各日の消費電力量が何日、前記所定の基準値以下であれば、当該月又は当該週の合計消費電力量が当該月又は当該週の合計消費電力量の目標値以下になるかを示す目安日数を算出し、前記目安日数が当該月又は当該週の残日数に比べて多いか少ないかを示す第２アドバイス情報を表示させるようにしてもよい。
【００９２】
本態様では、当該月又は当該週の残日数が少なくなるほど、各日の消費電力量が前記所定の基準値を超える日が多くなると、前記当該月又は当該週の合計消費電力量は前記当該月又は当該週の目標値以下にはならない。そこで、本態様では、一定の目安として、当該月又は当該週の本日以降の各日の消費電力量が何日、前記所定の基準値以下であれば当該月又は当該週の合計消費電力量が前記当該月又は当該週の目標値以下になるかを示す目安日数を算出する。そして、この目安日数が当該月又は当該週の残日数に比べて多いか少ないかを示す第２アドバイス情報を表示させる。これにより、目安日数が残日数より多ければ、当該月又は当該週はまだ電力消費量に余裕があるといった判断材料をユーザに提示でき、目安日数が残日数よりも少なければ、今月は電力消費量を抑制する必要があるといった判断材料をユーザに提示できる。
【００９３】
（３３）上記第３の態様において、例えば、
当該月又は当該週の本日が翌日に移行した場合、前記移行前の本日の消費電力量を含めた前記第１アドバイス情報に更新させるようにしてもよい。
【００９４】
（３４）上記第３の態様において、例えば、
当該月又は当該週の本日が翌日に移行した場合、前記移行前の本日の消費電力量を含めた前記第２アドバイス情報を更新させるようにしてもよい。
【００９５】
（３５）上記第３の態様において、例えば、
前記ユーザと関連付けられた消費電力量を示す情報に基づいて、前記カレンダーデータに表され当該月又は当該週の本日前のいずれかの日に対応する領域に、その日が最も消費電力量が少ない日であることを示す第１表示データを表示させるようにしてもよい。
【００９６】
（３６）上記第３の態様において、例えば、
前記ユーザと関連付けられた消費電力量を示す情報に基づいて、前記カレンダーデータに表され当該月又は当該週の本日前のいずれかの日に対応する領域に、その日が最も消費電力量が多い日であることを示す第２表示データを表示させるようにしてもよい。
【００９７】
（３７）上記第３の態様において、例えば、
当該月又は当該週の本日前の各日に対応する領域に、各日において最も消費電力量が多い電化機器を表す機器表示を表示させるようにしてもよい。
【００９８】
本態様によると、各日においてどの電化機器の消費電力量が最も多いかを確認できる。
【００９９】
本開示変形例として以下の態様を含む。
【０１００】
（３８）本開示の変形例にかかる第１の態様は、
ネットワークを介して電化機器の消費電力量を含むログ情報を収集及び管理する情報管理システムに接続され、ディスプレイを有する通信装置の制御方法であって、
前記通信装置は、前記通信装置のユーザのスケジュール情報を管理するメモリを有し、
前記通信装置のコンピュータに対して、
月単位又は週単位の各日を表したカレンダーデータを前記ディスプレイに表示させる指示を受け付けさせ、
前記ネットワークを介して前記情報管理システムから、前記ユーザと関連付けられた消費電力量を示す情報を受信し、
前記管理されたスケジュール情報及び前記受信した消費電力量を示す情報に基づき、当該月又は当該週の本日前の各日に対応する領域に、前記ユーザと関連付けられた消費電力量を表す数字を合成して前記ディスプレイに表示させる。
【０１０１】
本態様は、前記ユーザの通信装置のディスプレイに表示されるカレンダーデータを提供する。前記カレンダーデータは、当該又は当該週月の本日前の各日に対応する領域に、前記ユーザと関連付けられた消費電力量を表す数字を合成して表示する。即ち、前記カレンダーデータは、前記ユーザの予定を表示する画面であると共に、消費電力量を表す画面を兼用する。
【０１０２】
これにより、ユーザは、前記カレンダーデータを用いて、前記ユーザの予定を確認する際には、前記ユーザと関連付けられた消費電力量を各日単位にて確認することになる。そのため、ユーザは、なぜ各々の日の消費電力量が前記数字で表された消費電力量であるのかを、各々の日の予定を参酌して判断できる。例えば、ある日、一日中家の中で過ごしたので、前記ある日の消費電力量が前記数字で表された消費電力量であったと即座に判断できる。同様に、例えば、他の日は旅行で外出していたので、前記他の日の消費電力量が前記数字で表された消費電力量であったと即座に判断できる。
【０１０３】
このように、既存のカレンダーデータを利用して、前記カレンダーデータは、前記ユーザの予定を表示すると共に、消費電力量を表示するので、各日の消費電力量の多少の理由を即座に判断できる。例えば、週単位又は月単位などで消費電力量を管理する場合に、本態様は適切な管理を効果的に支援できる。
【０１０４】
（３９）本開示の変形例にかかる第２の態様は、
ネットワークを介して電化機器の消費電力量を含むログ情報を収集及び管理する情報管理システムに接続され、ディスプレイを有する通信装置の制御方法であって、
前記通信装置のコンピュータに対して、
月単位又は週単位の各日を表したカレンダーデータを前記ディスプレイに表示させる指示を受け付けさせ、
前記指示に応じて、前記ネットワークを介して前記情報管理システムから、前記通信装置のユーザのスケジュール情報を受信し、
前記ネットワークを介して前記情報管理システムから、前記ユーザと関連付けられた消費電力量を示す情報を受信し、
前記受信したスケジュール情報及び前記受信した消費電力量を示す情報に基づき、当該月又は当該週の本日前の各日に対応する領域に、前記ユーザと関連付けられた消費電力量を表す数字を合成して前記ディスプレイに表示させる。
【０１０５】
本態様によると、本開示の変形例にかかる第１の態様と同様の効果が得られる。
【０１０６】
（４０）本開示の変形例にかかる第３の態様は、
ネットワークを介して電化機器の消費電力量を含むログ情報を収集及び管理する情報管理システムにおける情報提供方法であって、
前記ネットワークを介して前記電化機器と関連づけられたユーザの通信装置から、月単位又は週単位の各日に前記ユーザのスケジュール情報を表したカレンダーデータを前記ディスプレイに表示するための依頼を受信し、
前記依頼に応じて前記カレンダーデータを生成するために、前記ユーザのスケジュール情報を管理するメモリから前記ユーザのスケジュール情報を入力し、
前記ユーザと関連付けられた消費電力量を示す情報に基づいて、当該月又は当該週の本日前の各日に対応する領域に、前記ユーザと関連付けられた消費電力量を表す数字を合成したカレンダーデータを生成し、
前記ネットワークを介して前記通信装置に前記カレンダーデータを送信して前記通信装置のディスプレイに表示させる。
【０１０７】
本態様によると、本開示の変形例にかかる第１の態様と同様の効果が得られる。
【０１０８】
（実施の形態）
以下、本開示の管理システムについて説明する。本開示の管理システムは、ユーザの家屋のエネルギー使用量（消費電力量）を管理するシステムである。
【０１０９】
図１は、本開示による管理システムの全体構成の第１例を示す図である。第１例の管理システムは、端末１００、エネルギー計測ユニット２００、分電盤３００、及び機器４００を備える。端末１００、エネルギー計測ユニット２００、及び機器４００は、ネットワークを介して相互に通信可能に接続されている。第１例の管理システムにおいて、各構成要素は、例えば、あるユーザの１の家屋に設置されている。
【０１１０】
また、第１例の管理システムにおいて、ネットワークとしては、例えば、ローカルエリアネットワークが採用され、ＴＣＰ／ＩＰの通信プロトコルを用いて種々のデータが送受信される。ローカルエリアネットワークとしては、例えば、ＩＥＥＥ８０２．３シリーズの有線ＬＡＮや、ＩＥＥＥ８０２．１１シリーズの無線ＬＡＮや、両者が混在するネットワークが採用できる。
【０１１１】
端末１００は、例えば、ボタン式の携帯電話、タブレット端末、スマートフォン等の携帯式のコンピュータ、或いは、据え置き型のコンピュータで構成される。ここで、端末１００は、家屋においてホームサーバとしての役割を担うコンピュータが採用されてもよいし、この役割を担っていないコンピュータが採用されてもよい。なお、図１では、端末１００は１台しか示していないが、複数のユーザに対応して複数台存在してもよい。
【０１１２】
エネルギー計測ユニット２００は、例えば、分電盤３００が備える電流センサで計測された電流値等を用いて、家屋内のエネルギー使用量を計測する。
【０１１３】
分電盤３００は、例えば、スマート分電盤で構成され、商用電力を電力線を介して機器４００に供給する。また、分電盤３００は、ブレーカを含み、機器４００に供給する電流が規定値を超えるとブレーカを遮断し、機器４００への電流供給を停止する。また、分電盤３００は、家屋内の１以上のコンセントに電力を供給する分岐回路や、各分岐回路に流れる電流を検知する電流センサを備える。なお、エネルギー計測ユニット２００及び分電盤３００間は例えば特定省電力無線の通信路で通信可能に接続されている。
【０１１４】
機器４００は、例えば、家屋に設置された電化機器で構成されている。図１の例では、機器４００として、エアコン、照明、テレビ、冷蔵庫、掃除機、及びレンジが示されている。但し、これは一例であり、機器４００としては、ユーザの家屋に設置された電化機器であればどのような電化機器が採用されてもよい。したがって、図１に示す電化機器以外の電化機器が機器４００に含まれてもよいし、図１に示す機器４００のいずれかが省かれてもよい。図１に例示されていない機器４００としては、例えば、電動シャッター、電動カーテン等が挙げられる。
【０１１５】
上記説明では、機器４００はユーザの家屋に設置されているとしたが、これは一例にすぎず、例えば、ビルディングに設置された機器であってもよい。また、家屋としては、１戸建ての住宅であってもよいし、集合住宅であってもよい。また、図１の例では、エネルギー計測ユニット２００が情報管理システムの一例に相当する。
【０１１６】
図２は、本開示による管理システムの全体構成の第２例を示す図である。第２例の管理システムは、第１例の管理システムに対して、更にエネルギー管理サーバ５００が設けられている点を特徴とする。エネルギー管理サーバ５００は、例えば、１以上のコンピュータで構成されるクラウドサーバである。そして、エネルギー管理サーバ５００は、１以上家屋に設置された１以上の機器４００を管理する。なお、図２の管理システムでは、１の家屋における構成要素とエネルギー管理サーバ５００との関係が示されている。
【０１１７】
そして、第２例の管理システムでは、エネルギー計測ユニット２００は、自身が管理している家屋のエネルギー使用量を示すエネルギーデータをエネルギー管理サーバ５００に送信し、エネルギー管理サーバ５００に各家屋のエネルギーデータを一元的に管理させている。
【０１１８】
ここで、エネルギー管理サーバ５００としては、例えば、機器４００の製造メーカが機器４００を購入したユーザに対して機器４００に関する種々のサービスを提供するメーカーサーバが採用できる。或いは、本開示による管理システムがサービスプロバイダにより提供されるのであれば、サービスプロバイダが管理するサービスプロバイダサーバが採用できる。ここで、サービスプロバイダとしては、例えば、家屋に商用電力を供給する電力会社が含まれる。
【０１１９】
なお、第２例では、ネットワークには、インターネット及びローカルネットワークが含まれる。また、図２の例では、エネルギー計測ユニット２００及びエネルギー管理サーバ５００が情報管理システムの一例に相当する。
【０１２０】
図３は、本開示による管理システムの全体構成の第３例を示す図である。第３例の管理システムは、第１例の管理システムに対して、更にカレンダーサーバ６００が設けられた点を特徴とする。カレンダーサーバ６００は、例えば１以上のコンピュータで構成されるクラウドサーバである。そして、カレンダーサーバ６００は、１以上の各ユーザの予定を示すスケジュール情報を管理する。ここで、スケジュール情報は、例えば、図２６に示すカレンダー予定リスト２６００が採用される。
【０１２１】
第１例及び第２例の管理システムでは、スケジュール情報は端末１００が管理していたが、第３例の管理システムでは、スケジュール情報の管理をカレンダーサーバ６００に担わせている。
【０１２２】
なお、第３例では、ネットワークには、インターネット及びローカルネットワークが含まれる。また、図３の例では、エネルギー計測ユニット２００及びカレンダーサーバ６００が情報管理システムの一例に相当する。
【０１２３】
図４は、本開示による管理システムの全体構成の第４例を示す図である。第４例の管理システムは、第１例の管理システムに対して、エネルギー管理サーバ５００及びカレンダーサーバ６００が設けられている点を特徴とする。
【０１２４】
第４例の管理システムでは、スケジュール情報の管理はカレンダーサーバ６００が担っている。また、エネルギー管理サーバ５００は、各家屋のエネルギー使用量量を一元管理している。
【０１２５】
なお、第４例では、ネットワークには、インターネット及びローカルネットワークが含まれる。また、図４の例では、エネルギー計測ユニット２００、エネルギー管理サーバ５００、及びカレンダーサーバ６００が情報管理システムの一例に相当する。
【０１２６】
図５は、第１例の管理システムの構成パターンＡ−１を示すブロック図である。図５の管理システムにおいて、端末１００は、画面生成部１０１、画面制御部１０２、アプリ管理部１０３、蓄積部１０４、エネルギー表示データ生成部１０５、カレンダーデータ管理部１０６、通信部１０７、及び表示部１０８を備える。
【０１２７】
画面生成部１０１は、端末１００が表示する種々の画面の画像データを生成し、表示部１０８に表示させる。
【０１２８】
画面制御部１０２は、表示部１０８に表示された種々の画面に対してユーザが行う種々の操作を検知する。本開示では、表示部１０８が備えるタッチパネルをユーザからの操作を受け付ける操作装置として採用する。よって、画面制御部１０２は、タッチパネルを通じてユーザにより入力されたタップ、スワイプ、フリックといった操作を検知する。また、画面制御部１０２は、表示部１０８に表示されたＧＵＩ部品をタップする操作を検知すると、そのＧＵＩ部品がユーザにより選択されたと判定する。なお、操作装置として、キーボードやマウスが採用される場合、画面制御部１０２は、キーボードに対するユーザの操作やマウスに対するユーザの操作を検知すればよい。
【０１２９】
アプリ管理部１０３は、端末１００にインストールされた１以上のアプリケーション（以下、アプリと記述する。）を管理する。例えば、アプリ管理部１０３は、端末１００の基本画面において、あるアプリのアイコンのタップが画面制御部１０２で検知されると、そのアプリを起動させる。
【０１３０】
蓄積部１０４は、例えば、端末１００が種々の処理を行う際に使用する種々のデータを蓄積する。
【０１３１】
エネルギー表示データ生成部１０５は、使用量確認画面１５００（図１５〜図２２）を作成する際に使用されるエネルギー表示データ２５００（図２５）を作成する。そして、エネルギー表示データ生成部１０５は、エネルギー表示データ２５００を画面生成部１０１に渡し、使用量確認画面１５００を表示部１０８に表示させる。
【０１３２】
カレンダーデータ管理部１０６は、スケジュール情報を生成し、蓄積部１０４に記憶し、スケジュール情報を管理する。
【０１３３】
通信部１０７は、端末１００をネットワークに接続し、端末１００をエネルギー計測ユニット２００等と通信させる。
【０１３４】
表示部１０８は、例えば、タッチパネルを備えた液晶ディスプレイで構成される。
【０１３５】
エネルギー計測ユニット２００は、エネルギーデータ管理部２０１、蓄積部２０２、エネルギー使用量計測部２０３、及び通信部２０４を備える。
【０１３６】
エネルギーデータ管理部２０１は、エネルギー使用量計測部２０３で計測されたエネルギー使用量を用いて、家屋におけるエネルギー使用量及び各機器４００のエネルギー使用量を示すエネルギーデータを生成し、蓄積部２０２に蓄積し、エネルギーデータを管理する。具体的には、エネルギーデータ管理部２０１は、エネルギーデータをエネルギー管理データ２４００（図２４）に登録することで、エネルギーデータを管理する。
【０１３７】
蓄積部２０２は、エネルギー計測ユニット２００が種々の処理を行う際に使用する種々のデータを蓄積する。本開示では、特に、蓄積部２０２はエネルギー管理データ２４００を蓄積する。
【０１３８】
エネルギー使用量計測部２０３は、分電盤３００で計測された電流値等を用いて家屋全体のエネルギー使用量及び各機器４００のエネルギー使用量を計測し、エネルギーデータ管理部２０１に渡す。
【０１３９】
通信部２０４は、エネルギー計測ユニット２００をネットワークに接続し、エネルギー計測ユニット２００を端末１００と通信させる。
【０１４０】
なお、図５に示す端末１００において、エネルギー表示データ生成部１０５、例えば、端末１００のプロセッサが、エネルギー管理アプリケーション（以下、管理アプリと記述する。）を実行することで実現される。また、カレンダーデータ管理部１０６は、既存のカレンダーアプリケーション（以下、カレンダーアプリと記述する）を端末１００のプロセッサが実行することで実現される。また、画面生成部１０１は、例えば、端末１００のプロセッサが、オペレーティングシステムや管理アプリを実行することで実現される。また、画面制御部１０２及びアプリ管理部１０３は、例えば、端末１００のプロセッサがオペレーティングシステムを実行することで実現される。
【０１４１】
また、蓄積部１０４は、例えば、書き換え可能な不揮発性の記憶装置で構成される。
【０１４２】
また、通信部１０７は、ＬＡＮや携帯電話の通信装置で構成される。
【０１４３】
また、図５において、エネルギーデータ管理部２０１及びエネルギー使用量計測部２０３は、例えば、プロセッサが管理アプリを実行することで構成される。また、蓄積部２０２は、例えば、書き換え可能な不揮発性の記憶装置で構成される。また、通信部２０４は、エネルギー計測ユニット２００をネットワークに接続させる通信装置、及び分電盤３００と通信するための通信装置で構成される。
【０１４４】
図６は、第１例の管理システムの構成パターンＡ−２を示すブロック図である。構成パターンＡ−２では、エネルギー表示データ２５００の生成がエネルギー計測ユニット２００で行われている。そのため、端末１００からエネルギー表示データ生成部が省かれ、エネルギー計測ユニット２００がエネルギー表示データ生成部２０５を備えている。
【０１４５】
図７は、第２例の管理システムの構成パターンＢ−１を示すブロック図である。構成パターンＢ−１では、構成パターンＡ−１に対して、エネルギー管理サーバ５００が追加されている。エネルギー管理サーバ５００は、エネルギーデータ管理部５０１、蓄積部５０２、及び通信部５０３を備える。
【０１４６】
エネルギーデータ管理部５０１は、各家屋のエネルギー計測ユニット２００から送信されたエネルギーデータを蓄積部５０２に蓄積し、各家屋のエネルギーデータを一元管理する。
【０１４７】
蓄積部５０２は、例えば、各家屋のエネルギーデータを蓄積する。
【０１４８】
通信部５０３は、エネルギー管理サーバ５００をネットワークに接続させる。
【０１４９】
構成パターンＢ−１では、エネルギー表示データ２５００の生成は、端末１００で行われている。そのため、端末１００は、エネルギー表示データ生成部１０５を備えている。
【０１５０】
図７において、エネルギーデータ管理部５０１は、例えば、エネルギー管理サーバ５００のプロセッサが管理アプリを実行することで実現される。蓄積部５０２は、書き換え可能な不揮発性の記憶装置で構成される。通信部５０３は、モデム等の通信装置で構成される。
【０１５１】
図８は、第２例の管理システムの構成パターンＢ−２を示すブロック図である。構成パターンＢ−２では、構成パターンＢ−１に対して、エネルギー表示データ２５００の生成がエネルギー管理サーバ５００で行われている。そのため、構成パターンＢ−２では、端末１００からエネルギー表示データ生成部が省かれ、エネルギー管理サーバ５００が、エネルギー表示データ生成部５０４を備えている。
【０１５２】
この場合、エネルギー表示データ生成部５０４は、例えば、エネルギー管理サーバ５００のプロセッサが管理アプリを実行することで実現される。
【０１５３】
図９は、第３例の管理システムの構成パターンＣ−１を示すブロック図である。構成パターンＣ−１では、構成パターンＡ−１に対してカレンダーサーバ６００が追加されている。
【０１５４】
カレンダーサーバ６００は、カレンダーデータ管理部６０１、蓄積部６０２、及び通信部６０３を備える。
【０１５５】
カレンダーデータ管理部６０１の１以上の各ユーザのスケジュール情報を蓄積部６０２に蓄積し、スケジュール情報を管理する。
【０１５６】
蓄積部６０２は、カレンダーサーバ６００が種々の処理を行う際に用いる種々のデータを蓄積する。
【０１５７】
通信部６０３は、カレンダーサーバ６００をネットワークに接続させる。
【０１５８】
カレンダーデータ管理部６０１は、例えば、カレンダーサーバ６００のプロセッサが、コンピュータをカレンダーサーバ６００として機能させるカレンダーサーバプログラムを実行することで実現される。蓄積部６０２は、例えば、書き換え可能な不揮発性の記憶装置で構成される。通信部６０３は、モデム等の通信装置で構成される。
【０１５９】
構成パターンＣ−１では、エネルギー表示データ２５００の生成は端末１００が行い、スケジュール情報の管理は、カレンダーサーバ６００で行われている。そのため、端末１００は、エネルギー表示データ生成部１０５を備え、カレンダーデータ管理部が省かれている。
【０１６０】
図１０は、第３例の管理システムの構成パターンＣ−２を示すブロック図である。構成パターンＣ−２では、構成パターンＣ−１に対して、エネルギー表示データ２５００の生成がエネルギー計測ユニット２００で行われている。よって、端末１００からエネルギー表示データ生成部が省かれ、エネルギー計測ユニット２００がエネルギー表示データ生成部２０５を備えている。
【０１６１】
図１１は、第４例の管理システムの構成パターンＤ−１を示すブロック図である。構成パターンＤ−１では、構成パターンＡ−１に対して、エネルギー管理サーバ５００及びカレンダーサーバ６００が追加されている。構成パターンＤ−１では、エネルギー表示データ２５００の生成は端末１００が行い、スケジュール情報の管理はカレンダーサーバ６００が行っている。そのため、端末１００は、エネルギー表示データ生成部１０５を備え、カレンダーデータ管理部が省かれている。
【０１６２】
図１２は、第４例の管理システムの構成パターンＤ−２を示すブロック図である。構成パターンＤ−２では、構成パターンＤ−１に対して、エネルギー表示データ２５００の生成がエネルギー管理サーバ５００で行われている。そのため、端末１００からエネルギー表示データ生成部が省かれ、エネルギー管理サーバ５００にエネルギー表示データ生成部５０４が設けられている。
【０１６３】
図１３は、第４例の管理システムの構成パターンＤ−３を示すブロック図である。構成パターンＤ−３では、構成パターンＤ−２に対して、アプリ描画データ生成部５０５が追加されている。アプリ描画データ生成部５０５は、エネルギー表示データ生成部５０４で生成されたエネルギー表示データ２５００を用いて、後述する使用量確認画面１５００の描画データを生成する。この場合、端末１００は、ブラウザを用いて使用量確認画面１５００を表示できるため、画面生成部１０１は、ブラウザで構成される。
【０１６４】
図１４は、基本画面１４００の一例を示す図である。この基本画面１４００は、通常のスマートフォンやタブレット端末が表示する基本画面である。基本画面１４００には、１以上のアプリケーションを実行するための１以上のアイコンがマトリックス状に表示されている。そして、１以上のアイコンの中に、管理アプリを実行するための管理アプリアイコン１４０１が含まれている。図１４の例では、管理アプリアイコン１４０１は左上に配置されている。
【０１６５】
図１５は、使用量確認画面１５００の第１例を示す図である。使用量確認画面１５００は、管理アプリアイコン１４０１がタップされた場合に表示される画面であり、ユーザにエネルギー使用量を確認させる画面である。使用量確認画面１５００の上部には、「２０１３年１１月のエネルギー使用量」との見出しが付けられ、この画面が２０１３年１１月におけるエネルギーの使用量を示す画面であることが明示されている。なお、図１５は、２０１３年１１月の使用量確認画面１５００であるため、見出しには「２０１３年１１月」と記載されているが、他の年月を示す場合、見出しには、他の年月が記載される。
【０１６６】
使用量確認画面１５００には、スケジュール情報を用いて生成されたユーザの予定をカレンダー形式で示すカレンダーデータ表示欄１５０３が設けられている。ここで、カレンダーデータ表示欄１５０３は、各日を１ヶ月又は１週間単位で表すカレンダーを表示する欄である。図１５の例では、各日が１ヶ月単位で表されたカレンダーが採用されている。
【０１６７】
カレンダーデータ表示欄１５０３は、横方向に配置された日曜日から土曜日までの７つの曜日と、縦方向に配置された５つの週とでマトリックス状に区切られた３５個の矩形状のマス１５０４で構成されている。ここで、１つのマス１５０４は、日を示す領域である。各マス１５０４には、日を示す数字が表示されている。なお、図１５の例では、表示対象となる月に属していない前月又は翌月に属する日に対応するマス１５０４には日を示す数字が表示されていない。但し、これは、一例であり、前月又は翌月に属する日に対応するマス１５０４に日が表示されてもよい。
【０１６８】
カレンダーデータ表示欄１５０３には、ユーザがカレンダーアプリや管理アプリを通じて入力したユーザのスケジュールを示すスケジュールアイコン１５０７が表示されている。図１５の例では、８日に「パーティ」、１０日に「バーベキュー」、１３日に「休み」、１８日から２３日まで「旅行」といったスケジュールアイコン１５０７が表示されている。また、図１５の例では、本日に対応するマス１５０４には「ｔｏｄａｙ」と表示され、ユーザに対して本日が明示されている。
【０１６９】
更に、カレンダーデータ表示欄１５０３において、エネルギー使用量が基準値より大きいの日のマス１５０４は、全域が第１色で表示され、エネルギー使用量が基準値以下の日のマス１５０４は、全域が第１色とは異なる第２色で表示されている。ここで、第１色としては、例えば赤色が採用できる。また、第２色としては、第１色と区別できる色であればどのような色が採用されもよく、例えば青色が採用できる。なお、図１５では、カラー表示ができないため、第１色はハッチングで示され、第２色は網点で示されている。したがって、図１５の例では、本日の１日前の１４日以前において、２、３、８、９、１０、１３日のエネルギー使用量が基準値を超過しており、これら以外の日はエネルギー使用量が基準値を超過していないことが分かる。なお、本日である１５日は、１６日になったときに、エネルギー使用量が基準値より大きければ第１色で表示され、基準値以下であれば第２色で表示される。
【０１７０】
また、基準値とは、１日あたりのエネルギー使用量の目標値である。
【０１７１】
このように、使用量確認画面１５００には、各日におけるエネルギー使用量が基準値を超えたか否かを示す情報と、ユーザのスケジュールとを共に表示するカレンダーデータ表示欄１５０３が設けられている。そのため、ユーザは、ある日のエネルギー使用量が基準値を超えた理由或いは基準値を超えなかった理由を、ある日の予定を参酌して判断できる。例えば、一日中家の中で過ごしたので、ある日のエネルギー使用量が基準値を超えたとユーザは判断できる。また、ある日は旅行で外出していたので、ある日のエネルギー使用量が基準値以下であったとユーザは判断できる。
【０１７２】
更に、カレンダーデータ表示欄１５０３には、当月（図１５の例では１１月）において、エネルギー使用量が最小の日に対応するマス１５０４に最小使用日マーク１５０５が表示されている。ここでは、最小使用日マーク１５０５として、例えば、星型の図形が採用されている。但し、これは一例であり、四角形や、三角形等の図形が最小使用日マーク１５０５として採用されてもよい。図１５の例では、４日がエネルギー使用量が最小であったため、４日のマス１５０４に最小使用日マーク１５０５が表示されている。これにより、ユーザはエネルギー使用量が最小であった日を即座に確認できる。
【０１７３】
更に、カレンダーデータ表示欄１５０３には、当月において、エネルギー使用量が最大の日に対応するマス１５０４に最大使用日マーク１５０６が表示されている。ここでは、最大使用日マーク１５０６として、例えば、円の図形が採用されている。但し、これは一例であり、最小使用日マーク１５０５と区別できる図形であれば、どのような図形が最小使用日マーク１５０５として採用されてもよい。図１５の例では、８日がエネルギー使用量が最大であったため、８日のマス１５０４に最大使用日マーク１５０６が表示されている。これにより、ユーザはエネルギー使用量が最大であった日を即座に確認できる。また、図１５の例では、８日のマス１５０４には「パーティ」のスケジュールアイコン１５０７も表示されている。そのため、ユーザは、パーティがあったので、８日はエネルギー使用量が大きくなったことを認識できる。
【０１７４】
カレンダーデータ表示欄１５０３の下側には、アドバイス表示欄１５１１が表示されている。アドバイス表示欄１５１１には、「今月のエネルギーは、毎日の使用量が基準値以内として、あと１７日分利用できます。あと１７日分の利用に収めると、月間合計使用量が目標値に収まります。」との文章が表示されている。この「１７日」は、当月の本日以降の各日のエネルギー使用量が何日、基準値以下であれば、当月のエネルギー使用量が当月のエネルギー使用量の月間目標値以下になるかを示す目安日数１５０８である。具体的には、目安日数１５０８は、前日までの当月のエネルギー使用量の合計値と当月の月間目標値との差を基準値で割った日数である。
【０１７５】
また、アドバイス表示欄１５１１には、この文章に続いて、「今月は残り１６日ですので、１日分の余裕があります。」との文章が表示されている。この「１日」は、目安日数から当月の残日数を差し引いた余裕日数１５０９である。よって、余裕日数１５０９が多いほど、当月のエネルギー使用量が、月間目標値に対して余裕が大きいことが分かる。
【０１７６】
使用量確認画面１５００において、見出しの左側には、「前月」と記載された前月表示ボタン１５０１が表示されている。この前月表示ボタン１５０１は、表示部１０８の表示画面を前月の使用量確認画面１５００に切り替えるためのボタンである。前月の使用量確認画面１５００も当月の使用量確認画面１５００と同様、カレンダーデータ表示欄１５０３が設けられている。そのため、ユーザは前月のエネルギー使用量を確認できる。
【０１７７】
また、使用量確認画面１５００において、見出しの右側には、「次月」と記載された次月表示ボタン１５０２が表示されている。次月表示ボタン１５０２は、表示部１０８の表示画面を次月の使用量確認画面１５００に切り替えるためのボタンである。次月の使用量確認画面１５００も当月の使用量確認画面１５００と同様、カレンダーデータ表示欄１５０３が設けられている。ユーザは、次月の使用量確認画面１５００を通じて、次月の予定を入力できる。
【０１７８】
なお、図１５では、カレンダーデータ表示欄１５０３にはカレンダーデータが１ヶ月単位で表示されているが、週単位で表示されてもよい。この場合、カレンダーデータ表示欄１５０３は、例えば、横方向に配置された日曜日から土曜日までの７つの曜日と、縦方向に配置された１つの週とでマトリックス状に区切られた７個のマス１５０４で構成される。
【０１７９】
この場合、カレンダーデータ表示欄１５０３には、表示対象となる当週が翌月又は前月に跨る週であっても、月にとらわれずに週単位で日が表示される。例えば、図１５において、１行目の週は、１０月と１１月とに跨る週であるが、この週のみがカレンダーデータ表示欄１５０３に表示される場合、空欄である１０月に属する日にも日を示す数字と、スケジュールアイコン１５０７が表示される。また、この週において、エネルギー使用量が基準値より大きいの日のマス１５０４は、第１色で表示され、基準値以下の日のマス１５０４は、第２色で表示される。
【０１８０】
また、１週間単位のカレンダーデータ表示欄１５０３が採用された場合、最小使用日マーク１５０５、最大使用日マーク１５０６も週単位で算出されて表示される。また、アドバイス表示欄の目安日数１５０８、余裕日数１５０９、及び後述する不足日数１５１０も週単位で算出されて表示される。
【０１８１】
なお、カレンダーデータ表示欄１５０３において、ユーザは例えば以下のようにして予定を入力できる。まず、ユーザはカレンダーデータ表示欄１５０３の所望の日に対応するマス１５０４をタップする。すると、画面生成部１０１は、予定の詳細を入力する画面を表示させる。そして、画面生成部１０１は、この画面を通じて入力された情報をカレンダーデータ管理部１０６、６０１に通知する。これにより、カレンダーデータ表示欄１５０３を通じてユーザが入力した予定がカレンダー予定リスト２６００に登録される。
【０１８２】
図１６は、使用量確認画面１５００の第２例を示す図である。第２例の使用量確認画面１５００は、アドバイス表示欄１５１１の表示内容が第１例とは異なる。第１例では、アドバイス表示欄１５１１において、「あと１７日分の利用に収めると、月間合計使用量が目標値に収まります。」と記載されていたが、第２例では、「あと１７日分の利用に収めると、月間平均使用量が目標値に収まります。」と記載されている。つまり、第１例では、月間目標値として当月のエネルギー使用量の合計値が採用され、この月間目標値に対する、前日までのエネルギー使用量の合計値の余裕の有無が示されていた。一方、第２例では、月間目標値として当月のエネルギーの平均使用量が採用され、この月間目標値に対する前日までのエネルギーの平均使用量の余裕の有無が示されている。それ以外は第１例と同じである。
【０１８３】
ここで、前日までのエネルギーの平均使用量は、前日までの当月のエネルギー使用量の合計値を前日までの当月の日数で割ることで得られる。また、エネルギーの平均使用量の月間目標値としては、例えば、当月におけるエネルギー使用量の合計値の月間目標値を、当月の日数で割った値が採用できる。ここで、当月におけるエネルギー使用量の合計値の月間目標値が、基準値に当月の日数を乗じた値であるとすると、エネルギーの平均使用量の月間目標値は、基準値となる。
【０１８４】
図１７は、第１例の使用量確認画面１５００の別の表示例を示す図である。図１７の使用量確認画面１５００では、目安日数１５０８が「１６日」と算出され、当月の残日数が「１５日」であるため、余裕日数１５０９が「１日」と算出されている。そのため、図１７の例では、アドバイス表示欄１５１１には、図１５の例に準じて、図示する文章が表示されている。
【０１８５】
図１８は、目安日数１５０８が当月の残日数より少ない場合の第１例の使用量確認画面１５００を示す図である。図１８の例では、目安日数が「４日」と算出されている。そのため、アドバイス表示欄１５１１には、目安日数１５０８として「４日」と表示されている。また、当月の残日数は「６日」であり、残日数が、目安日数よりも２日多いため、アドバイス表示欄１５１１には、「今月は残り６日ですので、２日分の不足があります。」と表示されている。この「２日」は、残日数から目安日数を差し引いた不足日数１５１０である。よって、不足日数１５１０が多いほど、当月のエネルギー使用量の合計値が月間目標値に対して不足の度合いが高いことが分かる。このように、図１８の例では、不足日数１５１０を用いて、ユーザに対して、当月のエネルギー消費量を控えることを通知できる。
【０１８６】
なお、不足日数１５１０を表示するに際しても、図１７の例に準じて、平均使用量についてのアドバイスが表示されてもよい。
【０１８７】
図１９は、使用量確認画面１５００の第３例を示す図である。第３例の使用量確認画面１５００では、マス１５０４自体を第１色又は第２色で表示する態様に代えて、各日のエネルギー使用量を第１色又は第２色が付された文字で表示する点を特徴とする。それ以外は、第１例と同じである。
【０１８８】
例えば、１４日のエネルギー使用量は、１２６ｋＷｈであったため、１４日のマス１５０４には、「１２６ｋＷｈ」と表示されている。また、１２６ｋＷｈは、基準値以下であるため、１４日のマス１５０４には、「１２６ｋＷｈ」が背後に第２色のハイライトを付して表示されている。
【０１８９】
また、例えば、１０日のエネルギー使用量は、５０４ｋＷｈであったため、１０日のマス１５０４には、「５０４ｋＷｈ」と表示されている。また、５０４ｋＷｈは、基準値より大きいため、１０日のマス１５０４には、「５０４ｋＷｈ」が背後に第１色のハイライトを付して表示されている。
【０１９０】
このように、第３例の使用量確認画面１５００では、各日のエネルギー使用量を示す文字が表示されるため、ユーザは各日のエネルギー使用量を具体的に認識することができる。また、第３例では、エネルギー使用量を示す文字の背後に第１色又は第２色のハイライトが付されている。これにより、専門家でないユーザであっても、そのエネルギー使用量が高いことを意味しているのか、低いことを意味しているかを容易に把握できる。
【０１９１】
なお、図１９では、エネルギー使用量を示す文字の背後にハイライトを付す態様を示したが、エネルギー使用量を示す文字自体の色を第１色又は第２色で表示する態様が採用されてもよい。
【０１９２】
図２０は、使用量確認画面１５００の第４例を示す図である。第４例の使用量確認画面１５００では、各日のエネルギー使用量を示す文字が表示されている点を特徴とする。なお、第４例では、エネルギー使用量を示す文字の背後に第１色又は第２色は付されていない。それ以外は第３例と同じである。この場合、エネルギー使用量を示す数字は、エネルギー使用量が基準値より大きいか否かにかかわらず、同色で表示されてもよいし、エネルギー使用量が基準値基準値より大きければ第１色、基準値以下であれば第２色で表示されてもよい。
【０１９３】
図２１は、使用量確認画面１５００の第５例を示す図である。第５例の使用量確認画面１５００は、各日のマス１５０４を第１色又は第２色で表示すると共に、各日においてエネルギー使用量が最大の機器４００を示す機器アイコン１５１２を各日のマス１５０４に表示する点を特徴とする。それ以外は、第１例と同じである。
【０１９４】
例えば、１４日は、家屋に設置された機器４００のうちテレビのエネルギー使用量が最大であったため、１４日のマス１５０４にはテレビの機器アイコン１５１２が表示されている。
【０１９５】
また、例えば、１０日は、エアコンのエネルギー使用量が最大であったため、１０日のマス１５０４にはエアコンの機器アイコン１５１２が表示されている。
【０１９６】
このように、第５例の使用量確認画面１５００では、機器アイコン１５１２が表示されるため、各日においてエネルギー使用量が最大の機器４００をユーザに認識させることができる。
【０１９７】
図２２は、使用量確認画面１５００の第６例を示す図である。第６例の使用量確認画面１５００は、各日のマス１５０４を第１色又は第２色で表示することに代えて、各日においてエネルギー使用量が最大の機器４００を示す機器アイコン１５１２を第１色又は第２色で表示する点を特徴とする。それ以外は、第５例と同じである。
【０１９８】
例えば、１４日はエネルギー使用量が基準値以下であったため、機器アイコン１５１２は第２色で表示される。ここで、機器アイコン１５１２は、例えば、機器４００を示す画像の輪郭等を示す描画線が第２色で表示されると共に、機器４００を示す画像の背景が第２色で表示される。
【０１９９】
また、例えば、１０日はエネルギー使用量が基準値より大きかったため、機器アイコン１５１２は第１色で表示される。ここで、機器アイコン１５１２は、例えば、機器４００を示す画像の輪郭等を示す描画線が第１色で表示されると共に、機器４００を示す画像の背景が第１色で表示される。
【０２００】
このように、第６例の使用量確認画面１５００では、機器アイコン１５１２が第１色又は第２色で表示されるため、ユーザは機器アイコン１５１２の色を通じて、各日のエネルギー使用量が基準値を超過したか否かを認識できる。また、ユーザは、機器アイコン１５１２を通じて、各日において、エネルギー使用量が最大の機器４００を認識できる。
【０２０１】
図２３は、基準値テーブル２３００のデータ構成の一例を示す図である。基準値テーブル２３００には、「基準値」及び「月間目標値」が含まれる。ここで、基準値は、１日のエネルギー使用量の目標値である。図２３の例では、基準値として、４００ｋＷｈが登録されている。
【０２０２】
ここで、基準値としては、管理システムが事前に定めた値が採用されてもよいし、ユーザが任意に設定した値が採用されてもよいし、世帯平均値が採用されてもよい。ここで、世帯平均値としては、例えば、国や、国に属する地域（例えば、県、州、群、地方、市、町、村）別の１日あたりのエネルギー使用量の平均値が採用できる。また、月間目標値が決まっている場合は、基準値としては、月間目標値を各月の日数で割った値が採用されてもよい。この場合、月間目標値が固定であるとすると、各月の日数は、月に応じて異なるため、基準値は月に応じて異なることになる。
【０２０３】
月間目標値は、１つの月におけるエネルギー使用量の合計値の目標値である。図２４の例では、月間目標値として、１２００ｋＷｈが登録されている。この１２００ｋＷｈは、単純に基準値である４００ｋＷｈに１月の日数である３０を乗じた値である。
【０２０４】
ここで、月間目標値としては、管理システムが事前に定めた値が採用されてもよいし、ユーザが任意に設定した値が採用されてもよいし、世帯平均値が採用されてもよい。ここで、世帯平均値としては、例えば国や、国に属する地域（例えば、県、州、群、地方、市、町、村）別の一ヶ月あたりのエネルギー使用量の平均値が採用できる。また、基準値が決まっている場合は、月間目標値としては、基準値に各月の日数を乗じた値が採用されてもよい。この場合、基準値が固定であるとすると、各月の日数は、月に応じて異なるため、月間目標値は月に応じて異なることになる。
【０２０５】
なお、基準値テーブル２３００は、例えば、エネルギー表示データ２５００を算出する装置の蓄積部に蓄積される。
【０２０６】
図２４は、エネルギー管理データ２４００のデータ構成の一例を示すデータである。エネルギー管理データ２４００は、各ユーザ（家屋）におけるエネルギー使用量を示すエネルギーデータが登録されたデータである。
【０２０７】
ここで、エネルギーデータは、エネルギー計測ユニット２００により定期的に生成され、エネルギー管理データ２４００に登録される。ここで、エネルギー管理データ２４００は、エネルギー管理サーバ５００がない管理システムにおいては、エネルギー計測ユニット２００で管理される。また、エネルギー管理データ２４００は、エネルギー管理サーバ５００がある管理システムにおいては、エネルギー管理サーバ５００にて全ユーザのエネルギーデータが一元的に管理され、エネルギー計測ユニット２００にて該当するユーザ（家屋）分のエネルギーデータが管理される。
【０２０８】
したがって、エネルギー管理サーバ５００で管理されるエネルギー管理データ２４００には複数のユーザのエネルギーデータが登録されることになる。
【０２０９】
エネルギー管理データ２４００には、「ユーザＩＤ」、「データＩＤ」、「日時」、「エネルギー使用量」が含まれる。
【０２１０】
「ユーザＩＤ」は、ユーザが管理システムにユーザ登録する際に事前に設定した、ユーザの識別子である。「データＩＤ」は１のエネルギーデータに対して付与される識別子である。「日時」は、エネルギーデータの計測日時である。図２４の例では、ユーザ「Ａ」につき、エネルギーデータは１時間毎に計測されているため、１つ目のエネルギーデータの「日時（２０１３年１１月１日１０時）」に対して、２つ目のエネルギーデータの「日時」は１時間後（２０１３年１１月１日１１時）になっている。
【０２１１】
「エネルギー使用量」には、「合計」及び「内訳」が含まれる。「合計」は「内訳」が示す各機器４００のエネルギー使用量の合計値である。「内訳」は、各機器４００のエネルギー使用量を示し、「設置場所・機器名」及び「機器別計」が含まれる。「設置場所・機器名」は、各機器４００の設置場所と名称とを示す。「機器別計」は、各機器４００のエネルギー使用量を示す。各機器４００のエネルギー使用量は、エネルギー計測ユニット２００が、該当する機器４００に電力を供給する分電盤３００の分岐回路に設けられた電流センサが検知した電流値を取得することで算出される。
【０２１２】
例えば、データＩＤ「０００１」のエネルギーデータにおいては、「設置場所・機器名」に「リビング・エアコン」が登録され、「機器別計」に「１０ｋＷｈ」が登録されているため、エアコンはリビングに設置され、該当する「日時（２０１３年１１月１日１０時）」において、エネルギー使用量が１０ｋＷｈであることが分かる。
【０２１３】
図２５は、エネルギー表示データ２５００のデータ構成の一例を示す図である。エネルギー表示データ２５００は、使用量確認画面１５００を作成する際に使用され、１日につき１つのレコードが割り当てられたデータである。エネルギー表示データ２５００には、「日」、「エネルギー使用量」、「基準値との比較」、及び「最も使用した機器」が含まれる。なお、図２５では、ある１のユーザのエネルギー表示データ２５００が示されている。すなわち、エネルギー表示データ２５００はユーザ別に作成される。
【０２１４】
「日」は、エネルギー使用量が計測された日を示す。「エネルギー使用量」は、該当する日におけるエネルギー使用量である。この「エネルギー使用量」は、エネルギー管理データ２４００に登録されたあるユーザの１日分のエネルギーデータにおいて、「合計」に登録されたエネルギー使用量を加算することで得られる。
【０２１５】
「基準値との比較」は、該当する日のエネルギー使用量が基準値を超過するか否かを示す。ここでは、「基準値との比較」には、エネルギー使用量が基準値より大きければ、「多い」が登録され、エネルギー使用量が基準値以下であれば、「少ない」が登録される。
【０２１６】
「最も使用した機器」は該当する日において、エネルギー使用量が最大の機器４００を示す。この「最も使用した機器」は、エネルギー管理データ２４００に登録されたあるユーザの１日分のエネルギーデータにおいて、「機器別計」に登録されたエネルギー使用量を機器４００別に加算し、その値が最大である機器４００が登録される。
【０２１７】
図２５の１行目のレコードには、２０１３年１１月１日のあるユーザのエネルギー使用量は「１２６ｋＷｈ」であり、このエネルギー使用量は基準値以下であり、この日においてエネルギー使用量が最大の機器４００はキッチンの冷蔵庫であることが登録されている。
【０２１８】
図２６は、カレンダー予定リスト２６００のデータ構成の一例を示す図である。カレンダー予定リスト２６００（スケジュール情報の一例）は、管理アプリ又はカレンダーアプリを用いてユーザが入力したスケジュールが登録されたデータである。このカレンダー予定リスト２６００は、カレンダーデータ表示欄１５０３を作成する際に用いられる。なお、このカレンダー予定リスト２６００は、管理アプリ及びカレンダーアプリで共用される。また、このカレンダー予定リスト２６００は、ユーザ毎に存在する。
【０２１９】
具体的には、カレンダー予定リスト２６００には、１つの予定について１以上のレコードが割り当てられたデータであり、「日」、「時間」、及び「予定内容」が登録されている。「日」は該当する予定が実行される日を示す。「時間」は該当する予定が実行される時間を示す。「予定内容」は該当する予定の内容を示す。
【０２２０】
例えば、１行目のレコードには、２０１３年１１月８日の１３：００−１８：００に実行される「パーティ」の予定が登録されている。なお、この「パーティ」の予定は、この日で終了するため、この予定には１つのレコードが割り当てられている。
【０２２１】
一方、４〜９行目に登録された「旅行」の予定は、１つの予定であるが、日が６日に跨っているため、６個のレコードが割り当てられている。
【０２２２】
図２７は、エネルギーデータの収集処理を示すシーケンス図である。なお、この収集処理は、管理システムがエネルギー管理サーバ５００を備える図２及び図４の構成で行われる。
【０２２３】
エネルギー計測ユニット２００のエネルギーデータ管理部２０１は、エネルギー使用量計測部２０３で計測されたエネルギー使用量を用いてエネルギーデータを生成し、通信部２０４を用いて、エネルギー管理サーバ５００に送信する（Ｓ２７０１）。
【０２２４】
エネルギー管理サーバ５００のエネルギーデータ管理部５０１は、通信部５０３を用いてエネルギーデータを受信し、蓄積部５０２に蓄積する（Ｓ２７０２）。
【０２２５】
図２８は、管理システムの処理シーケンスＳＡ−１を示すシーケンス図である。この処理シーケンスＳＡ−１は、構成パターンＡ−１（図５）の管理システムにおける処理シーケンスである。処理シーケンスＳＡ−１は、端末１００がエネルギー表示データ２５００を生成する点を特徴とする。
【０２２６】
端末１００のアプリ管理部１０３は、管理アプリを起動する（Ｓ２８０１）。ここで、アプリ管理部１０３は、管理アプリアイコン１４０１がタップされたことをトリガーに管理アプリを起動する。
【０２２７】
端末１００のエネルギー表示データ生成部１０５は、通信部１０７を用いて、エネルギーデータを取得するためのエネルギーデータ要求をエネルギー計測ユニット２００に送信する（Ｓ２８０２）。
【０２２８】
エネルギー計測ユニット２００のエネルギーデータ管理部２０１は、蓄積部２０２からエネルギーデータを取得し、通信部２０４を用いて、端末１００に送信する（Ｓ２８０３）。ここで、エネルギーデータ管理部２０１は、前日から過去に遡って所定期間（例えば、１ヶ月や１週間）のエネルギーデータをエネルギー管理データ２４００から抽出し、端末１００に送信すればよい。
【０２２９】
エネルギー表示データ生成部１０５は、送信されたエネルギーデータを用いてエネルギー表示データ２５００を生成する（Ｓ２８０４）。ここで、エネルギー表示データ生成部１０５は、エネルギー表示データ２５００が未算出の日数分のレコードを生成し、生成したレコードのそれぞれについて、送信されたエネルギーデータを用いて「エネルギー使用量」、「基準値との比較」、及び「最も使用した機器」を算出し、生成したレコードに登録すればよい。
【０２３０】
ここでは、エネルギー表示データ生成部１０５は、エネルギー表示データ２５００が未算出の日数を算出対象としたが、管理アプリの起動の有無に拘わらず、一日毎にエネルギー表示データ２５００を算出してもよい。この場合、Ｓ２８０３にてエネルギーデータ管理部２０１は１日分のエネルギーデータをエネルギー管理データ２４００から抽出して端末１００に送信すればよい。
【０２３１】
また、Ｓ２８０４にて、エネルギー表示データ生成部１０５は、送信された１日分のエネルギーデータを用いて一日分のエネルギー表示データ２５００を生成すればよい。この場合、図２８の処理シーケンスＳＡ−１は、例えば、当日が翌日に切り替わるタイミングで実行されればよい。このことは、以下の図２９〜図３６の処理シーケンスについても同じである。
【０２３２】
エネルギー表示データ生成部１０５は、蓄積部１０４からカレンダー予定リスト２６００を取得する（Ｓ２８０５）。
【０２３３】
画面生成部１０１は、取得したカレンダー予定リスト２６００及びエネルギー表示データ２５００を用いて、ユーザの予定及びエネルギー使用量をカレンダー形式で示すカレンダーデータを生成し、表示部１０８に表示する（Ｓ２８０６）。これにより、図１５に示すような使用量確認画面１５００が表示部１０８に表示される。
【０２３４】
図２９は、管理システムの処理シーケンスＳＡ−２を示すシーケンス図である。この処理シーケンスＳＡ−２は、構成パターンＡ−２（図６）の管理システムにおける処理シーケンスである。処理シーケンスＳＡ−２は、エネルギー計測ユニット２００がエネルギー表示データ２５００を生成する点を特徴とする。
【０２３５】
Ｓ２９０１は、Ｓ２８０１と同じである。
【０２３６】
端末１００の画面生成部１０１は、通信部１０７を用いて、エネルギー表示データ２５００をエネルギー計測ユニット２００に生成させるためのエネルギー表示データ要求をエネルギー計測ユニット２００に送信する（Ｓ２９０２）。
【０２３７】
エネルギー計測ユニット２００のエネルギー表示データ生成部２０５は、エネルギーデータを蓄積部２０２から取得し、エネルギー表示データ２５００を生成する（Ｓ２９０３）。この処理の詳細は、Ｓ２８０４と同じである。
【０２３８】
エネルギー表示データ生成部２０５は、通信部２０４を用いてエネルギー表示データ２５００を端末１００に送信する（Ｓ２９０４）。
【０２３９】
Ｓ２９０５、Ｓ２９０６は、Ｓ２８０５、Ｓ２８０６と同じである。
【０２４０】
図３０は、管理システムの処理シーケンスＳＢ−１を示すシーケンス図である。この処理シーケンスＳＢ−１は、構成パターンＢ−１（図７）の管理システムにおける処理シーケンスである。処理シーケンスＳＢ−１は、端末１００が、エネルギー管理サーバ５００からエネルギーデータを取得して、エネルギー表示データ２５００を生成する点を特徴とする。
【０２４１】
Ｓ３００１は、Ｓ２８０１と同じである。
【０２４２】
端末１００のエネルギー表示データ生成部１０５は、通信部１０７を用いて、エネルギーデータを取得するためのエネルギーデータ要求をエネルギー計測ユニット２００に送信する（Ｓ３００２）。
【０２４３】
エネルギー管理サーバ５００のエネルギーデータ管理部５０１は、蓄積部５０２からエネルギーデータを取得し、通信部１０７を用いて、端末１００に送信する（Ｓ３００３）。ここで、エネルギーデータ管理部５０１は、該当する端末１００を所有するユーザの、前日から過去に遡って所定期間（例えば、１ヶ月）のエネルギーデータをエネルギー管理データ２４００から抽出し、端末１００に送信すればよい。
【０２４４】
Ｓ３００４〜Ｓ３００６は、Ｓ２８０４〜Ｓ２８０６と同じである。
【０２４５】
図３１は、管理システムの処理シーケンスＳＢ−２を示すシーケンス図である。この処理シーケンスＳＢ−２は、構成パターンＢ−２（図８）の管理システムにおける処理シーケンスである。処理シーケンスＳＢ−２は、エネルギー管理サーバ５００がエネルギー表示データ２５００を生成する点を特徴とする。
【０２４６】
Ｓ３１０１は、Ｓ２８０１と同じである。
【０２４７】
端末１００の画面生成部１０１は、通信部１０７を用いて、エネルギー表示データ２５００をエネルギー管理サーバ５００に生成させるためのエネルギー表示データ要求をエネルギー管理サーバ５００に送信する（Ｓ３１０２）。
【０２４８】
エネルギー管理サーバ５００のエネルギー表示データ生成部５０４は、エネルギーデータを蓄積部５０２から取得し、エネルギー表示データ２５００を生成する（Ｓ３１０３）。この処理の詳細は、Ｓ２８０４と同じである。
【０２４９】
エネルギー管理サーバ５００は、通信部５０３を用いてエネルギー表示データ２５００を端末１００に送信する（Ｓ３１０４）。
【０２５０】
Ｓ３１０５、Ｓ３１０６は、Ｓ２８０５、Ｓ２８０６と同じである。
【０２５１】
図３２は、管理システムの処理シーケンスＳＣ−１を示すシーケンス図である。この処理シーケンスＳＣ−１は、構成パターンＣ−１（図９）の管理システムにおける処理シーケンスである。処理シーケンスＳＣ−１は、端末１００がエネルギー表示データ２５００を生成し、且つカレンダーサーバ６００からカレンダー予定リスト２６００を取得する点を特徴とする。
【０２５２】
Ｓ３２０１は、Ｓ２８０１と同じである。
【０２５３】
Ｓ３２０２、Ｓ３２０３は、Ｓ２８０２、Ｓ２８０３と同じである。
【０２５４】
端末１００のエネルギー表示データ生成部１０５は、通信部１０７を用いて、カレンダー予定リスト２６００の取得要求をカレンダーサーバ６００に送信する（Ｓ３２０４）。
【０２５５】
カレンダーサーバ６００のカレンダーデータ管理部６０１は、該当する端末１００を所有するユーザのカレンダー予定リスト２６００を蓄積部６０２から取得し、通信部６０３を用いて端末１００に送信する（Ｓ３２０５）。ここで、カレンダーデータ管理部６０１は、一日毎にエネルギー表示データ２５００が作成される態様においては、算出対象となる一日分のエネルギー表示データ２５００を端末１００に送信すればよい。また、カレンダーデータ管理部６０１は、ユーザにより管理アプリが起動されたときにエネルギー表示データ２５００が作成される態様においては、未算出の日数分のエネルギー表示データ２５００を端末１００に送信すればよい。
【０２５６】
Ｓ３２０６、Ｓ３２０７は、Ｓ２８０４、Ｓ２８０６と同じである。
【０２５７】
図３３は、管理システムの処理シーケンスＳＣ−２を示すシーケンス図である。この処理シーケンスＳＣ−２は、構成パターンＣ−２（図１０）の管理システムにおける処理シーケンスである。処理シーケンスＳＣ−２は、エネルギー計測ユニット２００がエネルギー表示データ２５００を生成し且つ端末１００がカレンダーサーバ６００からカレンダー予定リスト２６００を取得する点を特徴とする。
【０２５８】
Ｓ３３０１は、Ｓ２８０１と同じである。
【０２５９】
Ｓ３３０２〜Ｓ３３０４はＳ２９０２〜Ｓ２９０４と同じである。
【０２６０】
Ｓ３３０５、Ｓ３３０６は、Ｓ３２０４、Ｓ３２０５と同じである。
【０２６１】
Ｓ３３０７は、Ｓ２８０６と同じである。
【０２６２】
図３４は、管理システムの処理シーケンスＳＤ−１を示すシーケンス図である。この処理シーケンスＳＤ−１は、構成パターンＤ−１（図１１）の管理システムにおける処理シーケンスである。処理シーケンスＳＤ−１は、端末１００がエネルギー管理サーバ５００からエネルギーデータを取得してエネルギー表示データ２５００を生成し且つ端末１００がカレンダーサーバ６００からカレンダー予定リスト２６００を取得する点を特徴とする。
【０２６３】
Ｓ３４０１は、Ｓ２８０１と同じである。
【０２６４】
Ｓ３４０２、Ｓ３４０３は、Ｓ３００２、Ｓ３００３と同じである。
【０２６５】
Ｓ３４０４〜Ｓ３４０７は、Ｓ３２０４〜Ｓ３２０７と同じである。
【０２６６】
図３５は、管理システムの処理シーケンスＳＤ−２を示すシーケンス図である。この処理シーケンスＳＤ−２は、構成パターンＤ−２（図１２）の管理システムにおける処理シーケンスである。処理シーケンスＳＤ−２は、エネルギー管理サーバ５００がエネルギー表示データ２５００を生成し且つ端末１００がカレンダーサーバ６００からカレンダー予定リスト２６００を取得する点を特徴とする。
【０２６７】
Ｓ３５０１は、Ｓ２８０１と同じである。
【０２６８】
Ｓ３５０２〜Ｓ３５０４は、Ｓ３１０２〜Ｓ３１０４と同じである。
【０２６９】
Ｓ３５０５、Ｓ３５０６は、Ｓ３２０４、Ｓ３２０５と同じである。
【０２７０】
Ｓ３５０７は、Ｓ２８０６と同じである。
【０２７１】
図３６は、管理システムの処理シーケンスＳＤ−３を示すシーケンス図である。この処理シーケンスＳＤ−３は、構成パターンＤ−３（図１３）の管理システムにおける処理シーケンスである。処理シーケンスＳＤ−３は、エネルギー管理サーバ５００がカレンダーサーバ６００からカレンダー予定リスト２６００を取得し、使用量確認画面１５００の描画データを生成する点を特徴とする。
【０２７２】
Ｓ３６０１は、Ｓ２８０１と同じである。
【０２７３】
端末１００の画面生成部１０１は、通信部１０７を用いて、エネルギー管理サーバ５００に使用量確認画面１５００の描画データを生成させるための描画データ要求を送信する（Ｓ３６０２）。
【０２７４】
Ｓ３６０３は、Ｓ３１０３と同じである。
【０２７５】
Ｓ３６０４では、エネルギー管理サーバ５００のアプリ描画データ生成部５０５は、通信部５０３を用いてカレンダー予定リスト２６００の取得要求をカレンダーサーバ６００に送信する。
【０２７６】
Ｓ３６０５では、エネルギー管理サーバ５００の通信部５０３は、カレンダー予定リスト２６００を受信する。
【０２７７】
Ｓ３６０６では、エネルギー管理サーバ５００のアプリ描画データ生成部５０５は、エネルギー表示データ２５００及びカレンダー予定リスト２６００を用いて、使用量確認画面１５００の描画データを生成する。ここで、描画データは、例えばＨＴＭＬで記述されたデータである。
【０２７８】
アプリ描画データ生成部５０５は、描画データを、通信部５０３を用いて端末１００に送信する（Ｓ３６０７）。
【０２７９】
端末１００の画面生成部１０１は、描画データを用いて表示部１０９に使用量確認画面１５００を表示する（Ｓ３６０８）。
【０２８０】
図３７は、使用量確認画面１５００の表示処理の第１例のフローチャートである。このフローチャートは、処理シーケンスＳＡ−１、ＳＢ−１に対応する。なお、処理シーケンスＳＡ−１が採用される場合、右列の処理主体は、エネルギー計測ユニット２００であり、処理シーケンスＳＢ−１が採用される場合、右列の処理主体は、エネルギー管理サーバ５００である。
【０２８１】
まず、アプリ管理部１０３は、管理アプリを起動する（Ｓ３７０１）。エネルギー計測ユニット２００又はエネルギー管理サーバ５００も管理アプリを起動する（Ｓ３７１１）。
【０２８２】
次に、エネルギー表示データ生成部１０５は、エネルギーデータ要求をエネルギー計測ユニット２００又はエネルギー管理サーバ５００に送信する。
【０２８３】
次に、エネルギー計測ユニット２００又はエネルギー管理サーバ５００は、エネルギーデータ要求を受信し（Ｓ３７１２）、自身が管理するエネルギー管理データ２４００からエネルギーデータを取得し（Ｓ３７１３）、端末１００に送信する（Ｓ３７１４）。
【０２８４】
次に、端末１００の通信部１０７は、エネルギーデータを受信する（Ｓ３７０３）。
【０２８５】
次に、エネルギー表示データ生成部１０５は、エネルギー表示データ２５００の生成処理を実行する（Ｓ３７０４）。この処理の詳細は、後ほど説明する。
【０２８６】
次に、画面生成部１０１は、蓄積部１０４からカレンダー予定リスト２６００を取得する（Ｓ３７０５）。
【０２８７】
次に、画面生成部１０１は、エネルギー使用量の表示処理を実行する（Ｓ３７０６）。この処理の詳細は後ほど説明する。
【０２８８】
次に、画面生成部１０１は、エネルギー使用量を表示した後に日付が変わったか否かを判定する（Ｓ３７０７）。日付が変わった場合（Ｓ３７０７でＹＥＳ）、処理はＳ３７０２に戻る。日付が変わらなかった場合（Ｓ３７０７でＮＯ）、画面生成部１０１は、管理アプリの終了指示があったか否かを判定する（Ｓ３７０８）。管理アプリの終了指示があれば（Ｓ３７０８でＹＥＳ）、処理は終了する。一方、管理アプリの終了指示がなければ、処理はＳ３７０７に戻る。
【０２８９】
これにより、例えば、管理アプリの起動中に日付が変われば、自動的にエネルギー表示データ２５００が生成され、カレンダーデータ表示欄１５０３に表示されるエネルギー使用量が更新される。その結果、ユーザは、管理アプリの起動中に日付が変わっても、管理アプリを再起動することなく、管理アプリの起動時に本日であった日のエネルギー使用量を確認できる。
【０２９０】
なお、一日毎にエネルギー表示データ２５００を作成する態様が採用される場合、ユーザによる管理アプリの起動の有無に拘わらず、端末１００はエネルギー表示データ２５００の生成処理を実行すればよい。
【０２９１】
図３８は、使用量確認画面１５００の表示処理の第２例のフローチャートである。このフローチャートは、処理シーケンスＳＡ−２、ＳＢ−２に対応する。なお、処理シーケンスＳＡ−２が採用される場合、右列の処理主体は、エネルギー計測ユニット２００であり、処理シーケンスＳＢ−２が採用される場合、右列の処理主体は、エネルギー管理サーバ５００である。
【０２９２】
第２例の表示処理は、第１例の表示処理に対して、Ｓ３７０２、Ｓ３７０３、Ｓ３７０４に代えて、Ｓ３８０１、Ｓ３８０１が設けられ、Ｓ３７１２、Ｓ３７１４の処理に代えて、Ｓ３８１１、Ｓ３８１２、Ｓ３８１３の処理が設けられている。
【０２９３】
Ｓ３８０１では、画面生成部１０１は、エネルギー表示データ要求をエネルギー計測ユニット２００又はエネルギー管理サーバ５００に送信する（Ｓ３８０１）。
【０２９４】
エネルギー計測ユニット２００又はエネルギー管理サーバ５００は、エネルギー表示データ要求を受信する（Ｓ３８１１）。
【０２９５】
Ｓ３８１２では、エネルギー計測ユニット２００又はエネルギー管理サーバ５００はエネルギー表示データ２５００の生成処理を実行する（Ｓ３８１２）。この処理の詳細は後ほど説明する。
【０２９６】
Ｓ３８１２では、エネルギー計測ユニット２００又はエネルギー管理サーバ５００は、エネルギー表示データ２５００を端末１００に送信する（Ｓ３８１３）。
【０２９７】
Ｓ３８０２では、端末１００の通信部１０７は、エネルギー表示データ２５００を受信する。以降は第１例の表示処理と同じである。
【０２９８】
図３９は、使用量確認画面１５００の表示処理の第３例のフローチャートである。このフローチャートは、処理シーケンスＳＣ−１、ＳＤ−１に対応する。なお、処理シーケンスＳＣ−１が採用される場合、右列の処理主体は、エネルギー計測ユニット２００であり、処理シーケンスＳＤ−１が採用される場合、右列の処理主体は、エネルギー管理サーバ５００である。
【０２９９】
第３例の表示処理は、第１例の表示処理（図３７）に対して、Ｓ３７０５に代えて、図３９で説明したＳ３９０１、Ｓ３９０２が設けられている。
【０３００】
Ｓ３９０１では、端末１００の画面生成部１０１は、カレンダー予定リスト２６００の取得要求をカレンダーサーバ６００に送信し（Ｓ３９０１）、カレンダー予定リスト２６００を受信する（Ｓ３９０２）。以降、第１例の表示処理と同じである。
【０３０１】
図４０は、使用量確認画面１５００の表示処理の第４例のフローチャートである。このフローチャートは、処理シーケンスＳＣ−２、ＳＤ−２に対応する。なお、処理シーケンスＳＣ−２が採用される場合、右列の処理主体は、エネルギー計測ユニット２００であり、処理シーケンスＳＤ−２が採用される場合、右列の処理主体は、エネルギー管理サーバ５００である。
【０３０２】
第４例の表示処理は、第２例の表示処理（図３８）に対して、Ｓ３７０５に代えて、図３９で説明したＳ３９０１、Ｓ３９０２が設けられている。これは、第４例では、カレンダーサーバ６００が設けられているからである。それ以外は、第２例の表示処理と同じである。
【０３０３】
図４１は、使用量確認画面１５００の表示処理の第５例のフローチャートである。このフローチャートは、処理シーケンスＳＤ−３に対応する。したがって、右列の処理主体は、エネルギー管理サーバ５００である。
【０３０４】
第５例の表示処理は、第４例の表示処理に対して、Ｓ３８０１、Ｓ３８０２、Ｓ３９０１、Ｓ３９０２、Ｓ３７０６に代えて、Ｓ４１０１、Ｓ４１０２、Ｓ４１０３が設けられ、Ｓ３８１１、Ｓ３８１３に代えて、Ｓ４１１１、Ｓ４１１２、Ｓ４１１３、Ｓ４１１４、Ｓ４１１５が設けられている。
【０３０５】
Ｓ４１０１では、端末１００の画面生成部１０１は、描画データ要求をエネルギー管理サーバ５００に送信する。
【０３０６】
Ｓ４１１１では、エネルギー管理サーバ５００は、描画データ要求を受信する。
【０３０７】
Ｓ３７１３、Ｓ３８１２に続くＳ４１１２では、エネルギー管理サーバ５００は、カレンダー予定リスト２６００の取得要求をカレンダーサーバ６００に送信し、Ｓ４１１３では、カレンダー予定リスト２６００を受信する。
【０３０８】
Ｓ４１１４では、エネルギー管理サーバ５００は、描画データを作成する。Ｓ４１１４の処理の詳細は、図４３〜図４８で後述するエネルギー使用量の表示処理と同じである。
【０３０９】
Ｓ４１１５では、エネルギー管理サーバ５００は、描画データを端末１００に送信する。
【０３１０】
Ｓ４１０２では、端末１００の通信部１０７は、描画データを受信する。
【０３１１】
Ｓ４１０３では、画面生成部１０１は、描画データを用いてエネルギー使用量に関する情報を描画する。
【０３１２】
なお、エネルギー計測ユニット２００がアプリ描画データ生成部を備える態様が採用されてもよい。この場合、図４２の右列の処理主体は、エネルギー計測ユニット２００となる。
【０３１３】
図４２は、エネルギー表示データ２５００の生成処理（Ｓ３７０４、Ｓ３８１２）のフローチャートである。
【０３１４】
エネルギー生成処理の処理主体は、端末１００のエネルギー表示データ生成部１０５又はエネルギー管理サーバ５００のエネルギー表示データ生成部５０４である。
【０３１５】
まず、エネルギーデータを用いて、エネルギー使用量が１日単位でチェックされる（Ｓ４２０１）。具体的には、エネルギー使用量の算出対象となる日のうちで１の日がチェック対象として抽出される。ここで、エネルギー使用量の算出対象となる日としては、例えば、既にエネルギー使用量が算出されている日の翌日から本日の前日までの日が採用される。
【０３１６】
次に、表示対象の全ての日に対するチェックが終了していれば（Ｓ４２０２でＹＥＳ）、処理は終了し、チェックが終了していなければ（Ｓ４２０２でＮＯ）、処理がＳ４２０３に進む。
【０３１７】
次に、チェック対象の日のエネルギーデータを用いて、各機器４００のエネルギー使用量が合算される（Ｓ４２０３）。次に、合算した値、つまり、チェック対象の日のエネルギー使用量が、基準値を超えたか否かが判定される（Ｓ４２０４）。
【０３１８】
チェック対象の日のエネルギー使用量が基準値より大きければ（Ｓ４２０４でＹＥＳ）、エネルギー表示データ２５００の該当する日のレコードの「基準値との比較」に「多い」が設定される（Ｓ４２０５）。一方、チェック対象の日のエネルギー使用量が基準値以下であれば（Ｓ４２０４でＮＯ）、エネルギー表示データ２５００の該当する日のレコードの「基準値との比較」に「少ない」が設定される（Ｓ４２０６）。
【０３１９】
Ｓ４２０５又はＳ４２０６の処理が終了すると、処理がＳ４２０２に戻され、次の日がチェック対象として決定され、Ｓ４２０２以降の処理が行われる。
【０３２０】
図４３は、端末１００でのエネルギー使用量の表示処理（Ｓ３７０６）の第１例のフローチャートである。まず、画面生成部１０１は、カレンダーデータ表示欄１５０３の初期画像を描画する（Ｓ４３０１）。ここで、カレンダーデータ表示欄１５０３の初期画像には、カレンダーの基本的な情報（例えば、月、日、曜日、及びマス等）が含まれる。
【０３２１】
次に、画面生成部１０１は、カレンダー予定リスト２６００を用いて、カレンダーデータ表示欄１５０３上のユーザの予定の入っている日にスケジュールアイコン１５０７を描画する（Ｓ４３０２）。
【０３２２】
次に、画面生成部１０１は、エネルギー表示データ２５００を用いて、当月のエネルギー使用量を１日単位で描画する（Ｓ４３０３）。
【０３２３】
次に、画面生成部１０１は、当月の中から描画対象となる１の日を決定し、当月の全ての日に対する描画が終了していなければ（Ｓ４３０４でＮＯ）、処理をＳ４３０９に進める。一方、当月の全ての日に対する描画が終了すれば（Ｓ４３０４でＹＥＳ）、画面生成部１０１は、当月内でエネルギー使用量が最大の日のマス１５０４に最大使用日マーク１５０６を表示する（Ｓ４３０５）。
【０３２４】
次に、画面生成部１０１は、当月内でエネルギー使用量が最小の日のマス１５０４に最小使用日マーク１５０５を表示する（Ｓ４３０６）。
【０３２５】
次に、画面生成部１０１は、アドバイス描画処理を実行する（Ｓ４３０７）。この処理の詳細は後ほど説明する。
【０３２６】
次に、画面生成部１０１は、使用量確認画面１５００にその他の関連情報を描画する（Ｓ４３０８）。ここで、その他の関連情報としては、使用量確認画面１５００において、上述した描画が行われていない画面パーツが該当する。
【０３２７】
Ｓ４３０９では、画面生成部１０１は、エネルギー表示データ２５００を用いて、描画対象の日のエネルギー使用量が基準値より多いか否かを判定する。
【０３２８】
描画対象の日のエネルギー使用量が基準値より大きければ（Ｓ４３０９でＹＥＳ）、画面生成部１０１は、描画対象の日のマス１５０４を赤色（第１色）で描画する（Ｓ４３１０）。
【０３２９】
一方、描画対象の日のエネルギー使用量が基準値以下であれば（Ｓ４３０９でＮＯ）、画面生成部１０１は、描画対象の日のマス１５０４を青色に描画する（Ｓ４３１１）。これにより、図１５〜図１７で示すような使用量確認画面１５００が表示される。
【０３３０】
Ｓ４３１０又はＳ４３１１の処理が終了すると、処理はＳ４３０４に戻り、次の日が描画対象の日として決定され、Ｓ４３０４以降の処理が実行される。なお、週単位でエネルギー使用量に関する情報を表示する態様が採用される場合、Ｓ４３０４の「当月」は、「当週」となる。また、図４３がＳ４１１２（描画データの作成処理）のサブルーチンである場合、Ｓ４３０８で生成された使用量確認画面１５００は、ＨＴＭＬ形式に変換され、端末１００に送信されて表示される。これらは、以下の図４４〜図４８においても同じである。
【０３３１】
図４４は、端末１００でのエネルギー使用量の表示処理（Ｓ３７０６）の第２例のフローチャートである。第２例のエネルギー使用量の表示処理は、第１例のエネルギー使用量の表示処理に対して、Ｓ４３１０、Ｓ４３１１の処理に代えて、Ｓ４４０１、Ｓ４４０２が設けられている。それ以外は、第１例のエネルギー使用量の表示処理と同じである。
【０３３２】
Ｓ４４０１では、画面生成部１０１は、描画対象の日のマス１５０４に、エネルギー使用量を赤色（第１色）の文字で描画する。
【０３３３】
Ｓ４４０２では、画面生成部１０１は、描画対象の日のマス１５０４にエネルギー使用量を青色（第２色）の文字で描画する。この場合、図２０で示す使用量確認画面１５００において、エネルギー使用量が基準値より大きいマス１５０４には赤色でエネルギー使用量の文字が表示され、エネルギー使用量が基準値以下のマス１５０４には青色でエネルギー使用量の文字が表示される。
【０３３４】
図４５は、端末１００でのエネルギー使用量の表示処理（Ｓ３７０６）の第３例のフローチャートである。第３例のエネルギー使用量の表示処理は、第１例のエネルギー使用量の表示処理に対して、Ｓ４３１０、Ｓ４３１１の処理に代えて、Ｓ４５０１、Ｓ４５０２が設けられている。それ以外は、第１例のエネルギー使用量の表示処理と同じである。
【０３３５】
Ｓ４５０１では、画面生成部１０１は、エネルギー使用量の文字を、描画対象の日のマス１５０４の赤色（第１色）の背景領域上に描画する。
【０３３６】
Ｓ４５０２では、画面生成部１０１は、エネルギー使用量の文字を、描画対象の日のマス１５０４の青色（第２色）の背景領域上に描画する。この場合、図１９に示すように、エネルギー使用量が基準値より大きい日のマス１５０４には、エネルギー使用量が赤色のハイライトを付して表示され、エネルギー使用量が基準値以下のマス１５０４には、エネルギー使用量が青色のハイライトを付して表示される。
【０３３７】
図４６は、端末１００でのエネルギー使用量の表示処理（Ｓ３７０６）の第４例のフローチャートである。第４例のエネルギー使用量の表示処理は、第１例のエネルギー使用量の表示処理に対して、Ｓ４３０９、Ｓ４３１０、Ｓ４３１１の処理に代えて、Ｓ４６０１が設けられている。それ以外は、第１例のエネルギー使用量の表示処理と同じである。
【０３３８】
Ｓ４６０１では、画面生成部１０１は、エネルギー使用量の文字を、描画対象の日のマス１５０４に描画する。この場合、図２０で示す使用量確認画面１５００において、エネルギー使用量が基準値より大きいか否かに拘わらず、エネルギー使用量の文字が同じ色で表示される。
【０３３９】
図４７は、端末１００でのエネルギー使用量の表示処理（Ｓ３７０６）の第５例のフローチャートである。第５例のエネルギー使用量の表示処理は、第１例のエネルギー使用量の表示処理に対して、Ｓ４３１０及びＳ４３１１の処理の後にＳ４７０１が設けられている。それ以外は、第１例のエネルギー使用量の表示処理と同じである。
【０３４０】
Ｓ４７０１では、画面生成部１０１は、エネルギー表示データ２５００を用いて、描画対象の日のマス１５０４に、その日においてエネルギー使用量が最大の機器４００の機器アイコン１５１２を描画する（Ｓ４７０１）。この場合、図２１に示すように、前日以前の各マス１５０４に、エネルギー使用量が最大の機器４００の機器アイコン１５１２が描画された使用量確認画面１５００が表示される。
【０３４１】
図４８は、エネルギー使用量の表示処理（Ｓ３７０６）の第６例のフローチャートである。第６例のエネルギー使用量の表示処理は、第１例のエネルギー使用量の表示処理に対して、Ｓ４３１０、Ｓ４３１１の処理に代えてＳ４８０１、Ｓ４８０２が設けられている。それ以外は、第１例のエネルギー使用量の表示処理と同じである。
【０３４２】
Ｓ４８０１では、画面生成部１０１は、エネルギー表示データ２５００を用いて、エネルギー使用量が基準値より大きいの日のマス１５０４に、その日においてエネルギー使用量が最大の機器４００の機器アイコン１５１２を赤色（第１色）の線で描画する。
【０３４３】
Ｓ４８０２では、画面生成部１０１は、エネルギー表示データ２５００を用いて、エネルギー使用量が基準値以下の日のマス１５０４に、その日においてエネルギー使用量が最大の機器４００の機器アイコン１５１２を青色（第２色）の線で描画する。この場合、図２２に示すように、機器４００を示す画像の輪郭等を示す描画線が第１色又は第２色であり、機器４００を示す画像の背景が第１色又は第２色の機器アイコン１５１２が描画された使用量確認画面１５００が表示される。
【０３４４】
図４９は、アドバイス描画処理（Ｓ４３０７）を示すフローチャートである。
【０３４５】
まず、画面生成部１０１は、基準値テーブル２３００を用いてエネルギー使用量の月間目標値を取得する（Ｓ４９０１）。この場合、画面生成部１０１は、蓄積部１０４に基準値テーブル２３００が蓄積されていれば、蓄積部１０４から取得すればよい。また、蓄積部１０４に基準値テーブル２３００が蓄積されていなければ、基準値テーブル２３００を蓄積している装置から基準値テーブル２３００を取得すればよい。
【０３４６】
次に、画面生成部１０１は、月間目標値から当月のエネルギー使用量を減算する（Ｓ４９０２）。具体的には、本日が当月の「１０日」であるとすると、画面生成部１０１は、１日〜９日のそれぞれのエネルギー使用量の合計値を求め、月間目標値からその合計値を減じる。
【０３４７】
次に、画面生成部１０１は、Ｓ４９０２で得られた減算値を基準値で除算する（Ｓ４９０３）。次に、画面生成部１０１は、Ｓ４９０３で得られた除算値を目安日数として、アドバイス表示欄１５１１の目安日数１５０８に表示する（Ｓ４９０４）。ここで、除算値が小数点以下の数値を含む場合、画面生成部１０１は、小数点以下の数値を切り捨てた値を目安日数として算出すればよい。減算値が多いほどエネルギー使用量は月間目標値に対して余裕があることを示すため、目安日数はエネルギー使用量が月間目標値に対してどの程度余裕があるかの目安を示す。
【０３４８】
次に、目安日数が当月の残日よりも多ければ（Ｓ４９０５でＹＥＳ）、画面生成部１０１は、目安日数から残日数を差し引いた値を余裕日数として算出し、アドバイス表示欄１５１１の余裕日数１５０９に表示する（Ｓ４９０６）。
【０３４９】
一方、目安日数が当月の残日以下であれば（Ｓ４９０５でＮＯ）、画面生成部１０１は、残日数から目安日数を差し引いた値を不足日数として算出し、アドバイス表示欄１５１１の不足日数１５１０に表示する（Ｓ４９０７）。
【０３５０】
次に、画面生成部１０１は、アドバイス表示欄１５１１に警告メッセージを表示する（Ｓ４９０８）。この場合、図１８に示すアドバイス表示欄１５１１に記載された文章が警告メッセージとして採用されてもよいし、図１８に示した文章以外の例えば「このままでは月間目標値を達成できません。」といった文章が警告メッセージとして採用されてもよい。
【０３５１】
なお、上記説明では、エネルギー使用量が基準値を超えた日であることを示す表示とエネルギー使用量が基準値以下の日であることを示す表示とが共に表示されたが、いずれか一方のみが表示されてもよい。
【０３５２】
また、上記説明では、エネルギー使用量が基準値を超えたか否かの判定において、エネルギー使用量が基準値より大きい日はエネルギー使用量が「多い」と判定され、エネルギー使用量が基準値以下の日はエネルギー使用量が「少ない」と判定されたが、これに限定されない。エネルギー使用量が基準値以上の場合、エネルギー使用量が「多い」と判定され、エネルギー使用量が基準値未満の場合に、エネルギー使用量が「少ない」と判定されてもよい。
【産業上の利用可能性】
【０３５３】
本開示によれば、ユーザの予定やサービスマンの予約可能日を管理するクラウドシステムにおいて有用である。
【要約】
エネルギー使用量が所定の基準値以上の日のマス（１５０４）は第１色で表示され、エネルギー使用量が所定の基準値日未満のマス（１５０４）は第２色で表示されたカレンダーデータ表示欄（１５０３）を備える使用量確認画面（１５００）が表示される。【図１】
0005650874.tif 000002
【図２】
0005650874.tif 000003
【図３】
0005650874.tif 000004
【図４】
0005650874.tif 000005
【図５】
0005650874.tif 000006
【図６】
0005650874.tif 000007
【図７】
0005650874.tif 000008
【図８】
0005650874.tif 000009
【図９】
0005650874.tif 000010
【図１０】
0005650874.tif 000011
【図１１】
0005650874.tif 000012
【図１２】
0005650874.tif 000013
【図１３】
0005650874.tif 000014
【図１４】
0005650874.tif 000015
【図１５】
0005650874.tif 000016
【図１６】
0005650874.tif 000017
【図１７】
0005650874.tif 000018
【図１８】
0005650874.tif 000019
【図１９】
0005650874.tif 000020
【図２０】
0005650874.tif 000021
【図２１】
0005650874.tif 000022
【図２２】
0005650874.tif 000023
【図２３】
0005650874.tif 000024
【図２４】
0005650874.tif 000025
【図２５】
0005650874.tif 000026
【図２６】
0005650874.tif 000027
【図２７】
0005650874.tif 000028
【図２８】
0005650874.tif 000029
【図２９】
0005650874.tif 000030
【図３０】
0005650874.tif 000031
【図３１】
0005650874.tif 000032
【図３２】
0005650874.tif 000033
【図３３】
0005650874.tif 000034
【図３４】
0005650874.tif 000035
【図３５】
0005650874.tif 000036
【図３６】
0005650874.tif 000037
【図３７】
0005650874.tif 000038
【図３８】
0005650874.tif 000039
【図３９】
0005650874.tif 000040
【図４０】
0005650874.tif 000041
【図４１】
0005650874.tif 000042
【図４２】
0005650874.tif 000043
【図４３】
0005650874.tif 000044
【図４４】
0005650874.tif 000045
【図４５】
0005650874.tif 000046
【図４６】
0005650874.tif 000047
【図４７】
0005650874.tif 000048
【図４８】
0005650874.tif 000049
【図４９】
0005650874.tif 000050